(57)【要約】【課題】輝度を部分的に異ならせる駆動を実現する。【解決手段】バックライト装置１２は、ＬＥＤ２４と、ＬＥＤ２４が収容されるシャーシ２２と、シャーシ２２の中央側に配されＬＥＤ２４が実装される中央側ＬＥＤ基板２５Ｃと、シャーシ２２において中央側ＬＥＤ基板２５Ｃの両側に配されＬＥＤ２４が実装されるとともに外部から電力が供給される少なくとも一対の端側ＬＥＤ基板２５Ｅと、中央側ＬＥＤ基板２５Ｃと中央側ＬＥＤ基板２５Ｃに隣り合う端側ＬＥＤ基板２５Ｅとに接続される基板接続部である端側基板接続コネクタ３５及び中央側基板接続部コネクタ４２と、中央側ＬＥＤ基板２５Ｃに設けられるものであって、両端部が基板接続部である中央側基板接続部コネクタ４２に接続されるのに対して途中部分がＬＥＤ２４に接続されつつ折り返されてなる折り返し型基板配線部３２と、を備える。【選択図】図１２
2013143275.tif 000002
【特許請求の範囲】
【請求項１】
光源と、
前記光源が収容されるシャーシと、
前記シャーシの中央側に配され前記光源が実装される中央側光源基板と、
前記シャーシにおいて前記中央側光源基板の両側に配され前記光源が実装されるとともに外部から電力が供給される少なくとも一対の端側光源基板と、
前記中央側光源基板と前記中央側光源基板に隣り合う前記端側光源基板とに接続される基板接続部と、
前記中央側光源基板に設けられるものであって、両端部が前記基板接続部に接続されるのに対して途中部分が前記光源に接続されつつ折り返されてなる折り返し型基板配線部と、を備える照明装置。
【請求項２】
前記基板接続部には、前記中央側光源基板と前記中央側光源基板に隣り合う一方の前記端側光源基板とを接続する第１基板接続部と、前記中央側光源基板と前記中央側光源基板に隣り合う他方の前記端側光源基板とを接続する第２基板接続部とが含まれるのに対し、
前記中央側光源基板は、前記光源が複数実装されるとともに、前記折り返し型基板配線部に、前記第１基板接続部と複数の前記光源の一部とに接続される第１折り返し型基板配線部と、前記第２基板接続部と複数の前記光源の残りとに接続される第２折り返し型基板配線部とが含まれる構成とされている請求項１記載の照明装置。
【請求項３】
前記中央側光源基板に実装された複数の前記光源は、前記第１折り返し型基板配線部と前記第２折り返し型基板配線部とに同数ずつ接続されている請求項２記載の照明装置。
【請求項４】
前記中央側光源基板に実装された複数の前記光源は、前記第１折り返し型基板配線部に接続されたものと、前記第２折り返し型基板配線部に接続されたものとの境界位置が前記中央側光源基板の中央位置とほぼ一致するよう配されている請求項２または請求項３記載の照明装置。
【請求項５】
前記中央側光源基板には、前記光源、前記第１折り返し型基板配線部及び前記第２折り返し型基板配線部が回転対称をなすよう配されている請求項２から請求項４のいずれか１項に記載の照明装置。
【請求項６】
少なくとも一対の前記端側光源基板のうち前記中央側光源基板の両側に隣り合う一対の前記端側光源基板には、実装された前記光源と前記基板接続部とに接続される基板配線部がそれぞれ設けられるとともに、それぞれの前記光源及び前記基板配線部が点対称状に配されている請求項１から請求項５のいずれか１項に記載の照明装置。
【請求項７】
少なくとも一対の前記端側光源基板のうち前記シャーシの両端側に配される一対の前記端側光源基板には、実装された前記光源に電力を供給する外部の電源に接続される電源接続部と、前記光源と前記電源接続部と前記基板接続部とに接続される基板配線部とがそれぞれ設けられるとともに、それぞれの前記光源、前記電源接続部及び前記基板配線部が点対称状に配されている請求項１から請求項６のいずれか１項に記載の照明装置。
【請求項８】
前記中央側光源基板の両側に隣り合う一対の前記端側光源基板は、前記シャーシの両端側に配されている請求項１から請求項７のいずれか１項に記載の照明装置。
【請求項９】
前記シャーシは、前記光源からの光を出射させる光出射部と、前記中央側光源基板及び少なくとも一対の前記端側光源基板に対して前記光出射部側とは反対側に配されるとともに前記中央側光源基板及び少なくとも一対の前記端側光源基板の板面に沿って延在する底板とを有しており、
前記基板接続部によって相互に接続される前記中央側光源基板及び少なくとも一対の前記端側光源基板を１つの光源基板群としたとき、前記底板の面内には、前記光源基板群が、前記光源基板群をなす前記中央側光源基板及び少なくとも一対の前記端側光源基板の並び方向と略直交する方向に沿って複数並んで配されている請求項１から請求項８のいずれか１項に記載の照明装置。
【請求項１０】
前記中央側光源基板及び少なくとも一対の前記端側光源基板は、前記並び方向に沿って延在する長手状をなしており、
前記光源基板群は、前記並び方向と略直交する方向に沿って複数が間欠的に並んで配されている請求項９記載の照明装置。
【請求項１１】
前記中央側光源基板は、複数が互いに隣り合う形で配されている請求項１から請求項１０のいずれか１項に記載の照明装置。
【請求項１２】
複数の前記中央側光源基板には、前記光源及び前記折り返し型基板配線部が回転対称をなすよう配されている請求項１１記載の照明装置。
【請求項１３】
請求項１から請求項１２のいずれか１項に記載の照明装置と、前記照明装置からの光を利用して表示を行う表示パネルとを備える表示装置。
【請求項１４】
前記表示パネルは、一対の基板間に液晶を封入してなる液晶パネルとされる請求項１３記載の表示装置。
【請求項１５】
請求項１３または請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、光源と対向するようシャーシの開口部を覆う形で配されて光源が発する光を効率的に液晶パネル側へ放出させるための光学部材（拡散シート等）とを備える。上記したバックライト装置の構成部品のうち、光源として例えばＬＥＤを用いる場合があり、その場合には、シャーシ内にＬＥＤを実装したＬＥＤ基板を収容することになる。
なお、光源としてＬＥＤを用いたバックライト装置の一例として下記特許文献１に記載されたものが知られている。
【先行技術文献】
【特許文献】
【０００３】
【特許文献１】特開２０１０−２３０９５１号公報
【発明の概要】
【発明が解決しようとする課題】
【０００４】
ところで、大型のバックライト装置では、シャーシ内にＬＥＤ基板を３枚以上並列して配置する場合があり、その場合には隣り合うＬＥＤ基板を基板接続コネクタによって相互に接続するとともに、接続した各ＬＥＤ基板に実装されたＬＥＤを直列駆動するようにしている。ところが、このような配線構成では、基板接続コネクタによって接続したＬＥＤ基板が有するＬＥＤを全て同一輝度で点灯させることになるため、例えばバックライト装置の輝度を部分毎に異ならせる、といった駆動を実現できない、といった問題があった。
【０００５】
本発明は上記のような事情に基づいて完成されたものであって、輝度を部分的に異ならせる駆動を実現することを目的とする。
【課題を解決するための手段】
【０００６】
本発明の照明装置は、光源と、前記光源が収容されるシャーシと、前記シャーシの中央側に配され前記光源が実装される中央側光源基板と、前記シャーシにおいて前記中央側光源基板の両側に配され前記光源が実装されるとともに外部から電力が供給される少なくとも一対の端側光源基板と、前記中央側光源基板と前記中央側光源基板に隣り合う前記端側光源基板とに接続される基板接続部と、前記中央側光源基板に設けられるものであって、両端部が前記基板接続部に接続されるのに対して途中部分が前記光源に接続されつつ折り返されてなる折り返し型基板配線部と、を備える。
【０００７】
このようにすれば、シャーシの中央側に配される中央側光源基板と、シャーシにおいて中央側光源基板の両側に配される少なくとも一対の端側光源基板とが備えられているので、仮に２枚以下の光源基板を備える構成とした場合に比べると、端側光源基板及び中央側光源基板を汎用的な大きさとしつつも当該照明装置の大型化に容易に対応することができ、もって各光源基板の製造コストを低減できるとともに当該照明装置の大型化を図ることができる。
【０００８】
その上で、中央側光源基板は、基板接続部によって隣り合う端側光源基板に接続されるとともに、両端部が基板接続部に接続されるのに対して途中部分が光源に接続されつつ折り返されてなる折り返し型基板配線部を有しているから、中央側光源基板の両側に配される少なくとも一対の端側光源基板に電力を供給すると、基板接続部によって接続された中央側光源基板とそれに隣り合う端側光源基板とに実装された各光源を同等の輝度で点灯させることができる一方で、他の端側光源基板に実装された光源については異なる輝度で点灯させることができる。従って、少なくとも一対の端側光源基板と中央側光源基板とに実装された各光源を異なる輝度で点灯させることができ、もって当該照明装置を部分的に異なる輝度で駆動することができる。
【０００９】
本発明の実施態様として、次の構成が好ましい。
（１）前記基板接続部には、前記中央側光源基板と前記中央側光源基板に隣り合う一方の前記端側光源基板とを接続する第１基板接続部と、前記中央側光源基板と前記中央側光源基板に隣り合う他方の前記端側光源基板とを接続する第２基板接続部とが含まれるのに対し、前記中央側光源基板は、前記光源が複数実装されるとともに、前記折り返し型基板配線部に、前記第１基板接続部と複数の前記光源の一部とに接続される第１折り返し型基板配線部と、前記第２基板接続部と複数の前記光源の残りとに接続される第２折り返し型基板配線部とが含まれる構成とされている。このようにすれば、中央側光源基板に実装された複数の光源の一部については、第１折り返し型基板配線部に接続されているので、第１基板接続部に接続された一方の端側光源基板の光源と同等の輝度で点灯される。これに対して、中央側光源基板に実装された複数の光源の残りについては、第２折り返し型基板配線部に接続されているので、第２基板接続部に接続された他方の端側光源基板の光源と同等の輝度で点灯される。つまり、中央側光源基板に実装された複数の光源を異なる輝度で点灯させることができる。
【００１０】
（２）前記中央側光源基板に実装された複数の前記光源は、前記第１折り返し型基板配線部と前記第２折り返し型基板配線部とに同数ずつ接続されている。このようにすれば、中央側光源基板に実装された複数の光源を同数ずつ、異なる輝度で点灯させることができる。
【００１１】
（３）前記中央側光源基板に実装された複数の前記光源は、前記第１折り返し型基板配線部に接続されたものと、前記第２折り返し型基板配線部に接続されたものとの境界位置が前記中央側光源基板の中央位置とほぼ一致するよう配されている。このようにすれば、第１折り返し型基板配線部に接続された光源と、第２折り返し型基板配線部に接続された光源とを異なる輝度で点灯させると、当該照明装置の出射光は、中央側光源基板の中央位置を境にして異なる輝度となる。
【００１２】
（４）前記中央側光源基板には、前記光源、前記第１折り返し型基板配線部及び前記第２折り返し型基板配線部が回転対称をなすよう配されている。このようにすれば、中央側光源基板を第１基板接続部及び第２基板接続部によって両側の端側光源基板に接続する作業を行うに際して、中央側光源基板の姿勢が回転対称となるいずれの姿勢であっても接続が許容されるから、作業性が良好なものとなる。
【００１３】
（５）少なくとも一対の前記端側光源基板のうち前記中央側光源基板の両側に隣り合う一対の前記端側光源基板には、実装された前記光源と前記基板接続部とに接続される基板配線部がそれぞれ設けられるとともに、それぞれの前記光源及び前記基板配線部が点対称状に配されている。このようにすれば、中央側光源基板の両側に隣り合う一対の端側光源基板として同一部品を用いることが可能となるので、端側光源基板に係る製造コスト及び部品管理などに係るコストの低減を図ることができる。
【００１４】
（６）少なくとも一対の前記端側光源基板のうち前記シャーシの両端側に配される一対の前記端側光源基板には、実装された前記光源に電力を供給する外部の電源に接続される電源接続部と、前記光源と前記電源接続部と前記基板接続部とに接続される基板配線部とがそれぞれ設けられるとともに、それぞれの前記光源、前記電源接続部及び前記基板配線部が点対称状に配されている。このようにすれば、シャーシの両端側に配される一対の端側光源基板として同一部品を用いることが可能となるので、端側光源基板に係る製造コスト及び部品管理などに係るコストをさらに低減させることができる。
【００１５】
（７）前記中央側光源基板の両側に隣り合う一対の前記端側光源基板は、前記シャーシの両端側に配されている。このようにすれば、中央側光源基板の両側に隣り合う一対の端側光源基板がシャーシの両端側に配されるので、シャーシにおける端側光源基板の設置数が２つとなる。従って、仮に端側光源基板を３つ以上設置した場合に端側光源基板同士を接続する基板接続部を設ける必要が生じるのに比べると、基板接続部の設置数を削減することができる。
【００１６】
（８）前記シャーシは、前記光源からの光を出射させる光出射部と、前記中央側光源基板及び少なくとも一対の前記端側光源基板に対して前記光出射部側とは反対側に配されるとともに前記中央側光源基板及び少なくとも一対の前記端側光源基板の板面に沿って延在する底板とを有しており、前記基板接続部によって相互に接続される前記中央側光源基板及び少なくとも一対の前記端側光源基板を１つの光源基板群としたとき、前記底板の面内には、前記光源基板群が、前記光源基板群をなす前記中央側光源基板及び少なくとも一対の前記端側光源基板の並び方向と略直交する方向に沿って複数並んで配されている。このようにすれば、中央側光源基板及び端側光源基板の各光源からの光が、底板側とは反対側の光出射部から外部へと出射されるから、仮に導光板などを介在させる構成のものに比べると、出射光の輝度を高くすることができる。複数の光源基板群をなす各中央側光源基板及び各端側光源基板が底板の面内に行列状に並列配置されているから、各端側光源基板と各中央側光源基板とに実装された各光源を異なる輝度で点灯させると、光出射部からの出射光を底板の面内における各領域毎に異なる輝度とすることが可能となる。
【００１７】
（９）前記中央側光源基板及び少なくとも一対の前記端側光源基板は、前記並び方向に沿って延在する長手状をなしており、前記光源基板群は、前記並び方向と略直交する方向に沿って複数が間欠的に並んで配されている。このようにすれば、仮に光源基板群をなす中央側光源基板及び端側光源基板を、並び方向と略直交する方向に沿って延在する形態とした場合に比べると、隣り合う光源基板群間に保有される間隔の分だけ、中央側光源基板及び端側光源基板の面積を削減することができる。これにより、中央側光源基板及び端側光源基板に係る材料費を削減できてコストの低廉化を図ることができるとともに軽量化をも図ることができる。
【００１８】
（１０）前記中央側光源基板は、複数が互いに隣り合う形で配されている。このようにすれば、当該照明装置のさらなる大型化を図る上で好適となる。
【００１９】
（１１）複数の前記中央側光源基板には、前記光源及び前記折り返し型基板配線部が回転対称をなすよう配されている。このようにすれば、複数の中央側光源基板として同一部品を用いることが可能となるので、中央側光源基板に係る製造コスト及び部品管理などに係るコストの低減を図ることができる。
【００２０】
次に、上記課題を解決するために、本発明の表示装置は、上記記載の照明装置と、前記照明装置からの光を利用して表示を行う表示パネルとを備える。
【００２１】
このような表示装置によると、表示パネルに対して光を供給する照明装置が、輝度を部分的に異ならせる駆動を実現することができるものであるため、表示品質の優れた表示を実現することが可能となる。
【００２２】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２３】
本発明によれば、輝度を部分的に異ならせる駆動を実現することができる。
【図面の簡単な説明】
【００２４】
【図１】本発明の実施形態１に係るテレビ受信装置の概略構成を示す分解斜視図
【図２】液晶表示装置の概略構成を示す分解斜視図
【図３】液晶パネルの長辺方向に沿った断面構成を示す断面図
【図４】アレイ基板の平面構成を示す拡大平面図
【図５】ＣＦ基板の平面構成を示す拡大平面図
【図６】バックライト装置を構成するシャーシにおける拡散レンズ、ＬＥＤ基板、基板保持部材及び反射シートなどの配置構成を示す平面図
【図７】液晶表示装置の短辺方向（図６のvii-vii線）に沿った断面構成を示す断面図
【図８】液晶表示装置の長辺方向（図６のviii-viii線）に沿った断面構成を示す断面図
【図９】バックライト装置を構成するシャーシにおけるＬＥＤ基板、配線部材及び配線保護部材などの配置構成を示す平面図
【図１０】バックライト装置を構成するシャーシにおけるＬＥＤ駆動回路基板及び配線部材などの配置構成を示す底面図
【図１１】液晶表示装置における端部の拡大断面図
【図１２】ＬＥＤ基板の給電回路に係る電気的構成を表すブロック図
【図１３】本発明の実施形態２に係るＬＥＤ基板の給電回路に係る電気的構成を表すブロック図
【図１４】本発明の実施形態３に係るＬＥＤ基板の給電回路に係る電気的構成を表すブロック図
【図１５】本発明の実施形態４に係るシャーシにおけるＬＥＤ基板などの配置構成を示す平面図
【図１６】ＬＥＤ基板の給電回路に係る電気的構成を表すブロック図
【図１７】本発明の実施形態５に係るシャーシにおけるＬＥＤ基板などの配置構成を示す平面図
【図１８】ＬＥＤ基板の給電回路に係る電気的構成を表すブロック図
【図１９】本発明の実施形態６に係るシャーシにおけるＬＥＤ基板、配線部材及び配線保護部材などの配置構成を示す平面図
【図２０】シャーシにおけるＬＥＤ駆動回路基板及び配線部材などの配置構成を示す底面図
【図２１】本発明の実施形態７に係るＬＥＤ基板の給電回路に係る電気的構成を表すブロック図
【図２２】本発明の実施形態８に係るＬＥＤ基板の平面構成を示す平面図
【図２３】ＬＥＤ基板の給電回路に係る電気的構成を表すブロック図
【図２４】本発明の実施形態９に係るＬＥＤ基板の平面構成を示す平面図
【図２５】ＬＥＤ基板の給電回路に係る電気的構成を表すブロック図
【図２６】本発明の実施形態１０に係る液晶表示装置の概略構成を示す分解斜視図
【図２７】液晶表示装置に備わるバックライト装置におけるシャーシと導光板とＬＥＤ基板との配置構成を示す平面図
【図２８】液晶表示装置の短辺方向に沿った断面構成を示す断面図
【発明を実施するための形態】
【００２５】
＜実施形態１＞
本発明の実施形態１を図１から図１２によって説明する。本実施形態では、液晶表示装置１０について例示する。なお、各図面の一部にはＸ軸、Ｙ軸及びＺ軸を示しており、各軸方向が各図面で示した方向となるように描かれている。また、図７及び図８に示す上側を表側とし、同図下側を裏側とする
【００２６】
（テレビ受信装置）
本実施形態に係るテレビ受信装置ＴＶは、図１に示すように、表示装置である液晶表示装置１０と、当該液晶表示装置１０を挟むようにして収容する表裏両キャビネットＣａ，Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれほぼ一致させた状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２７】
（液晶パネル）
液晶表示装置１０における液晶パネル１１の構成について説明する。液晶パネル１１は、全体として横長（長手）の方形状（矩形状）をなしており、図３に示すように、一対の透明な（透光性を有する）ガラス製の基板１１ａ，１１ｂと、両基板１１ａ，１１ｂ間に介在し、電界印加に伴って光学特性が変化する物質である液晶を含む液晶層１１ｃとを備え、両基板１１ａ，１１ｂが液晶層の厚さ分のギャップを維持した状態で図示しないシール剤によって貼り合わせられている。また、両基板１１ａ，１１ｂの外面側には、それぞれ偏光板１１ｄ，１１ｅが貼り付けられている。なお、液晶パネル１１における長辺方向がＸ軸方向と一致し、短辺方向がＹ軸方向と一致している。
【００２８】
両基板１１ａ，１１ｂのうち表側（正面側）がＣＦ基板１１ａとされ、裏側（背面側）がアレイ基板１１ｂとされる。アレイ基板１１ｂの内面、つまり液晶層１１ｃ側（ＣＦ基板１１ａとの対向面側）の面には、図４に示すように、スイッチング素子であるＴＦＴ（Thin Film Transistor）１４及び画素電極１５がマトリクス状（行列状）に多数個並列して設けられるとともに、これらＴＦＴ１４及び画素電極１５の周りには、格子状をなすゲート配線１６及びソース配線１７が取り囲むようにして配設されている。画素電極１５は、長辺方向をＹ軸方向に、短辺方向をＸ軸方向にそれぞれ一致させた縦長（長手）の方形状（矩形状）をなしており、ＩＴＯ（Indium Tin Oxide）或いはＺｎＯ（Zinc Oxide）といった透明電極からなる。ゲート配線１６とソース配線１７とがそれぞれＴＦＴ１４のゲート電極とソース電極とに接続され、画素電極１５がＴＦＴ１４のドレイン電極に接続されている。また、ＴＦＴ１４及び画素電極１５の液晶層１１ｃ側には、図３に示すように、液晶分子を配向するための配向膜１８が設けられている。アレイ基板１１ｂにおける端部には、ゲート配線１６及びソース配線１７から引き回された端子部が形成されており、この端子部には、図示しない液晶駆動用のドライバ部品が異方性導電膜（ACF:Anisotropic Conductive Film）を介して圧着接続され、さらにはその液晶駆動用のドライバ部品が各種配線基板などを介して図示しない表示制御回路基板に電気的に接続されている。この表示制御回路基板は、テレビ受信装置ＴＶにおける画像変換回路基板ＶＣ（図１参照）に接続されるとともに同画像変換回路基板ＶＣからの出力信号に基づいてドライバ部品を介して各配線１６，１７に駆動信号を供給するものとされる。
【００２９】
一方、ＣＦ基板１１ａの内面、つまり液晶層１１ｃ側（アレイ基板１１ｂとの対向面側）の面には、図５に示すように、アレイ基板１１ｂ側の各画素に対応して多数個の着色部Ｒ，Ｇ，Ｂ，Ｙをマトリクス状（行列状）に配列してなるカラーフィルタ１９が設けられている。そして、本実施形態に係るカラーフィルタ１９は、光の三原色である赤色の着色部Ｒ，緑色の着色部Ｇ，青色の着色部Ｂに加えて、黄色の着色部Ｙを有するものとされ、各着色部Ｒ，Ｇ，Ｂ，Ｙが対応した各色（各波長）の光を選択的に透過するものとされる。各着色部Ｒ，Ｇ，Ｂ，Ｙは、画素電極１５と同様に長辺方向をＹ軸方向に、短辺方向をＸ軸方向にそれぞれ一致させた縦長（長手）の方形状（矩形状）をなしている。各着色部Ｒ，Ｇ，Ｂ，Ｙ間には、混色を防ぐため、格子状の遮光層（ブラックマトリクス）ＢＭが設けられている。ＣＦ基板１１ａにおけるカラーフィルタ１９の液晶層１１ｃ側には、図３に示すように、対向電極２０及び配向膜２１が順次積層して設けられている。
【００３０】
カラーフィルタ１９を構成する各着色部Ｒ，Ｇ，Ｂ，Ｙの配置及び大きさについて詳しく説明する。各着色部Ｒ，Ｇ，Ｂ，Ｙは、図５に示すように、Ｘ軸方向を行方向とし、Ｙ軸方向を列方向として行列状に配列されており、各着色部Ｒ，Ｇ，Ｂ，Ｙにおける列方向（Ｙ軸方向）の寸法は全て同一とされるものの、行方向（Ｘ軸方向）の寸法については各着色部Ｒ，Ｇ，Ｂ，Ｙによって異なるものとされる。詳しくは、各着色部Ｒ，Ｇ，Ｂ，Ｙは、図５に示す左側から赤色の着色部Ｒ、緑色の着色部Ｇ、青色の着色部Ｂ、黄色の着色部Ｙの順で行方向に沿って並べられており、このうち赤色の着色部Ｒ及び青色の着色部Ｂの行方向の寸法が、緑色の着色部Ｇ及び黄色の着色部Ｙの行方向の寸法よりも相対的に大きなものとされる。つまり、行方向の寸法が相対的に大きな着色部Ｒ，Ｂと、行方向の寸法が相対的に小さな着色部Ｇ，Ｙとが行方向について交互に繰り返し配されていることになる。これにより、赤色の着色部Ｒ及び青色の着色部Ｂの面積は、緑色の着色部Ｇ及び黄色の着色部Ｙの面積よりも大きなものとされている。青色の着色部Ｂと赤色の着色部Ｒとの面積は、互いに等しいものとされる。同様に緑色の着色部Ｇと黄色の着色部Ｙとの面積は、互いに等しいものとされる。なお、図３及び図５では、赤色の着色部Ｒ及び青色の着色部Ｂの面積が、緑色の着色部Ｇ及び黄色の着色部Ｙの面積の約１．６倍程度とされる場合を図示している。
【００３１】
カラーフィルタ１９が上記のような構成とされるのに伴い、アレイ基板１１ｂにおいては、図４に示すように、画素電極１５における行方向（Ｘ軸方向）の寸法が列によって異なるものとされる。すなわち、各画素電極１５のうち、赤色の着色部Ｒ及び青色の着色部Ｂと重畳するものの行方向の寸法及び面積は、緑色の着色部Ｇ及び黄色の着色部Ｙと重畳するものの行方向の寸法及び面積よりも相対的に大きなものとされる。また、ゲート配線１６については、全て等ピッチで配列されているのに対し、ソース配線１７については、画素電極１５の行方向の寸法に応じて２通りのピッチで配列されている。
【００３２】
上記のように本実施形態に係る液晶表示装置１０は、４色の着色部Ｒ，Ｇ，Ｂ，Ｙからなるカラーフィルタ１９を備える液晶パネル１１を用いていることから、図１に示すように、テレビ受信装置ＴＶにおいては専用の画像変換回路基板ＶＣを備えるものとされる。すなわち、この画像変換回路基板ＶＣは、チューナーＴから出力されたテレビ画像信号を青色、緑色、赤色、黄色の各色の画像信号に変換し、生成された各色の画像信号を表示制御回路基板に出力することができる。この画像信号に基づいて表示制御回路基板は、各配線１６，１７を介して液晶パネル１１における各色の画素に対応したＴＦＴ１４を駆動し、各色の着色部Ｒ，Ｇ，Ｂ，Ｙを透過する透過光量を適宜制御できるものとされる。
【００３３】
（バックライト装置）
続いて、液晶表示装置１０におけるバックライト装置１２の構成について説明する。バックライト装置１２は、図２に示すように、表側（液晶パネル１１側、光出射側）に向けて開口する光出射部２２ｄを有する略箱型をなすシャーシ２２と、シャーシ２２の光出射部２２ｄを覆うようにして配される光学部材２３と、シャーシ２２の外縁部に沿って配され光学部材２３の外縁部をシャーシ２２との間で挟んで保持するフレーム２６とを備える。さらに、シャーシ２２内には、光源であるＬＥＤ（Light Emitting Diode：発光ダイオード）２４と、ＬＥＤ２４が実装されたＬＥＤ基板（光源基板）２５と、ＬＥＤ基板２５においてＬＥＤ２４に対応した位置に取り付けられる拡散レンズ（光学素子、レンズ部材）２７とが備えられる。このように、本実施形態に係るバックライト装置１２は、シャーシ１４内において液晶パネル１１（光学部材１５）における表示領域の直下位置にＬＥＤ２４が配される、いわゆる直下型とされる。その上、シャーシ２２内には、ＬＥＤ基板２５をシャーシ２２との間で保持することが可能な基板保持部材２８と、シャーシ２２内の光を表側（光出射側、光学部材１５側）に向けて反射させる反射シート２９とが備えられる。続いて、バックライト装置１２の各構成部品について詳しく説明する。
【００３４】
（シャーシ）
シャーシ２２は、金属製とされ、図６から図８に示すように、平板状をなす底板２２ａと、底板２２ａの各辺（一対の長辺及び一対の短辺）の外端からそれぞれ表側（光出射側）に向けて立ち上がる側板２２ｂと、各側板２２ｂの立ち上がり端から外向きに張り出す受け板２２ｃとからなり、全体としては表側に向けて開口した浅い略箱型（略浅皿状）をなしている。シャーシ２２及び底板２２ａは、液晶パネル１１と同様に横長な方形状（矩形状、長方形状）をなしており、その長辺方向がＸ軸方向（水平方向）と一致し、短辺方向がＹ軸方向（鉛直方向）と一致している。底板２２ａは、ＬＥＤ基板２５に対して裏側、つまり光出射部２２ｄ側とは反対側に配されており、光学部材２３に対して対向状をなしている。各受け板２２ｃには、表側からフレーム２６及び次述する光学部材２３が載置可能とされる。各受け板２２ｃには、フレーム２６がねじ止めされている。また、底板２２ａには、基板保持部材２８を取り付けるための取付孔が開口して設けられており、この取付孔は、底板２２ａにおいて基板保持部材２８の取付位置に対応して複数が分散して配置されている。
【００３５】
（光学部材）
光学部材２３は、図２に示すように、液晶パネル１１及びシャーシ２２と同様に平面に視て横長の方形状をなしている。光学部材２３は、図７及び図８に示すように、その外縁部が受け板２２ｃに載せられることで、シャーシ２２の光出射部２２ｄを覆うとともに、液晶パネル１１とＬＥＤ２４（ＬＥＤ基板２５）との間に介在して配される。光学部材２３は、裏側（ＬＥＤ２４側、光出射側とは反対側）に配される拡散板２３ａと、表側（液晶パネル１１側、光出射側）に配される光学シート２３ｂとから構成される。拡散板２３ａは、所定の厚みを持つほぼ透明な樹脂製で板状をなす基材内に拡散粒子を多数分散して設けた構成とされ、透過する光を拡散させる機能を有する。光学シート２３ｂは、拡散板２３ａと比べると板厚が薄いシート状をなしており、２枚が積層して配されている。具体的な光学シート２３ｂの種類としては、例えば拡散シート、レンズシート、反射型偏光シートなどがあり、これらの中から適宜に選択して使用することが可能である。
【００３６】
（フレーム）
フレーム２６は、図２に示すように、液晶パネル１１及び光学部材２３の外周縁部に沿う枠状をなしている。このフレーム２６と各受け板２２ｃとの間で光学部材２３における外縁部を挟持可能とされている（図７及び図８）。また、このフレーム２６は、液晶パネル１１における外縁部を裏側から受けることができ、表側に配されるベゼル１３との間で液晶パネル１１の外縁部を挟持可能とされる（図７及び図８）。
【００３７】
（ＬＥＤ）
ＬＥＤ２４は、図８に示すように、ＬＥＤ基板２５上に実装されるとともにＬＥＤ２４に対する実装面とは反対側の面が発光面となる、いわゆる頂面発光型とされる。ＬＥＤ２４は、発光源として青色光を発するＬＥＤチップを備えるとともに、青色光により励起して発光する蛍光体として、緑色蛍光体と赤色蛍光体とを備えている。詳しくは、ＬＥＤ２４は、ＬＥＤ基板２５に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２４は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２４は、ＬＥＤチップからの青色成分の光と、黄色成分の光とを併せ持っている、とも言える。このＬＥＤ２４の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２４の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００３８】
続いて、ＬＥＤ２４に備えられる緑色蛍光体及び赤色蛍光体について詳しく説明する。緑色蛍光体としては、サイアロン系蛍光体の一種であるβ−ＳｉＡｌＯＮを用いるのが好ましい。サイアロン系蛍光体は、窒化ケイ素のシリコン原子の一部がアルミニウム原子に、窒素原子の一部が酸素原子に置換された物質、つまり窒化物である。窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。サイアロン系蛍光体には、付活剤として希土類元素（例えばＴｂ，Ｙｇ，Ａｇなど）が用いられる。サイアロン系蛍光体の一種であるβ−ＳｉＡｌＯＮは、β型窒化ケイ素結晶にアルミニウムと酸素とが固溶した一般式Ｓｉ6-zＡｌzＯzＮ8-z：Ｅｕ（ｚは固溶量を示す）または（Ｓｉ，Ａｌ）6（Ｏ，Ｎ）8：Ｅｕにより表される物質である。本実施形態に係るβ−ＳｉＡｌＯＮには、付活剤として例えばＥｕ（ユーロピウム）が用いられており、それにより発光光である緑色光の色純度が特に高いものとされるので、ＬＥＤ２４の色度を調整する上で極めて有用である。一方、赤色蛍光体としては、カズン系蛍光体の一種であるカズンを用いるのが好ましい。カズン系蛍光体は、カルシウム原子（Ｃａ）、アルミニウム原子（Ａｌ）、ケイ素原子（Ｓｉ）、窒素原子（Ｎ）を含む窒化物であり、例えば硫化物や酸化物などからなる他の蛍光体に比べると、発光効率に優れるとともに耐久性に優れている。カズン系蛍光体は、付活剤として希土類元素（例えばＴｂ，Ｙｇ，Ａｇなど）が用いられる。カズン系蛍光体の一種であるカズンは、付活剤としてＥｕ（ユーロピウム）が用いられるとともに、組成式ＣａＡｌＳｉＮ3：Ｅｕにより示される。
【００３９】
（ＬＥＤ基板）
ＬＥＤ基板２５は、図６に示すように、平面に視て横長の方形状をなす基材を有しており、長辺方向がＸ軸方向（シャーシ２２の長辺方向）と一致し、短辺方向がＹ軸方向（シャーシ２２の短辺方向）と一致する状態でシャーシ２２内において底板２２ａに沿って延在しつつ収容されている。このＬＥＤ基板２５の基材の板面のうち、表側を向いた板面（光学部材２３側を向いた面）には、ＬＥＤ２４が表面実装されており、ここが実装面２５ａとされている。実装されたＬＥＤ２４は、その発光面が表側を向いて光学部材２３（液晶パネル１１）と対向状をなすとともに、その光軸がＺ軸方向、つまり液晶パネル１１の表示面と直交する方向と一致している。ＬＥＤ基板２５には、その長辺方向（Ｘ軸方向）に沿って複数のＬＥＤ２４が直線的に並んで配されるとともに、並列されたＬＥＤ２４に接続される基板配線部３２，３３（図１２を参照）が形成されている。なお、この基板配線部３２，３３については後に詳しく説明する。各ＬＥＤ２４の配列ピッチは、ほぼ一定となっており、つまり各ＬＥＤ２４は、Ｘ軸方向についてほぼ等間隔に配列されていると言える。また、ＬＥＤ基板２５のうち基板保持部材２８の取付位置に対応する位置には、基板保持部材２８を通すための貫通孔２５ｂが形成されている（図７及び図８）。
【００４０】
上記した構成のＬＥＤ基板２５は、図６に示すように、シャーシ２２内においてＸ軸方向及びＹ軸方向にそれぞれ複数ずつ、互いに長辺方向及び短辺方向を揃えた状態で並列して配置されている。つまり、ＬＥＤ基板２５及びそこに実装されたＬＥＤ２４は、シャーシ２２内において共にＸ軸方向（シャーシ２２及びＬＥＤ基板２５の長辺方向）を行方向とし、Ｙ軸方向（シャーシ２２及びＬＥＤ基板２５の短辺方向）を列方向として行列状に配置（マトリクス状に配置、平面配置）されている。具体的には、ＬＥＤ基板２５は、シャーシ２２内においてＸ軸方向（行方向）に３枚ずつ、Ｙ軸方向（列方向）に９枚ずつ、合計２７枚が行列状に並列して配置されている。そして、本実施形態では、ＬＥＤ基板２５として長辺寸法（長辺方向についての長さ）及び実装されるＬＥＤ２４の数が異なる２種類のものが用られている。具体的には、ＬＥＤ基板２５としては、６個のＬＥＤ２４が実装され、長辺寸法が相対的に長い６個実装タイプのものと、４個のＬＥＤ２４が実装され、長辺寸法が相対的に短い４個実装タイプのものとが用いられており、シャーシ２２におけるＸ軸方向の両端位置に６個実装タイプのものが１枚ずつ、同方向の中央位置に４個実装タイプのものが１枚、それぞれ配されている。
【００４１】
このように、長辺寸法及び実装されるＬＥＤ２４の数が異なるＬＥＤ基板２５を複数種類用いる構成とすれば、異なる種類のＬＥＤ基板２５を適宜に組み合わせてバックライト装置１２に使用する手法を採用することが可能となり、それにより次の効果を得ることができる。すなわち、画面サイズが異なる液晶表示装置１０を多品種製造する場合、各画面サイズに合わせて各種類のＬＥＤ基板２５の使用の是非及び種類毎のＬＥＤ基板２５の使用枚数を適宜変更することで容易に対応することができ、仮にシャーシ２２の長辺寸法と同等の長辺寸法を有する専用設計のＬＥＤ基板を画面サイズ毎に用意した場合と比べると、必要なＬＥＤ基板２５の種類を大幅に削減することができるとともに、その大きさ（長さ寸法）が汎用的なものとなるので汎用品のＬＥＤ基板２５を使用することができ、もって製造コストの低廉化を図ることができる。具体的には、上記した２種類のＬＥＤ基板２５（４個実装タイプのもの及び６個実装タイプのもの）に加え、５個のＬＥＤ２４を実装した５個実装タイプのものや８個のＬＥＤ２４を実装した８個実装タイプのものを追加し、それら４種類のＬＥＤ基板２５を適宜に組み合わせて使用することにより、画面サイズが例えば２０インチ、２２インチ、２６インチ、３２インチ、３７インチ、４０インチ、４２インチ、４６インチ、５２インチ、６０インチ、７０インチなどとされる各液晶表示装置１０の製造に、容易に低コストでもって対応することができるのである。
【００４２】
上記のように行列状に並列配置されたＬＥＤ基板２５のうち、Ｘ軸方向に沿って並列するとともに１つの行をなす３つのＬＥＤ基板２５は、図６に示すように、１つのＬＥＤ基板群３１を構成しており、その並び方向がＸ軸方向と一致している。そして、シャーシ２２内には、ＬＥＤ基板群３１がＹ軸方向（ＬＥＤ基板群３１を構成するＬＥＤ基板２５の並び方向と略直交する方向）に沿って９つ、間欠的に並列して配されていることになる。Ｙ軸方向について隣り合うＬＥＤ基板群３１（ＬＥＤ基板２５）間の間隔（配列ピッチ）は、ほぼ等しいものとされる。１つのＬＥＤ基板群３１が有するＬＥＤ２４の数は、本実施形態では１６個とされている。なお、長辺寸法及び実装されるＬＥＤ２４の数が異なる種類のＬＥＤ基板２５であっても、短辺寸法及びＸ軸方向についてのＬＥＤ２４の配列ピッチは、ほぼ同じとされる。
【００４３】
また、ＬＥＤ基板２５の基材は、シャーシ２２と同じアルミ系材料などの金属製とされ、その表面に絶縁層を介して銅箔などの金属膜からなる基板配線部３２，３３が形成され、さらには最外表面には、光の反射性に優れた白色を呈する反射層（図示せず）が形成された構成とされる。なお、ＬＥＤ基板２５の基材に用いる材料としては、セラミックなどの絶縁材料を用いることも可能である。
【００４４】
（拡散レンズ）
拡散レンズ２７は、ほぼ透明で（高い透光性を有し）且つ屈折率が空気よりも高い合成樹脂材料（例えばポリカーボネートやアクリルなど）からなる。拡散レンズ２７は、図６及び図８に示すように、所定の厚みを有するとともに、平面に視て略円形状に形成されており、ＬＥＤ基板２５に対して各ＬＥＤ２４を表側から個別に覆うよう、つまり平面に視て各ＬＥＤ２４と重畳するようそれぞれ取り付けられている。そして、この拡散レンズ２７は、ＬＥＤ２４から発せられた指向性の強い光を拡散させつつ出射させることができる。つまり、ＬＥＤ２４から発せられた光は、拡散レンズ２７を介することにより指向性が緩和されるので、隣り合うＬＥＤ２４間の間隔を広くとってもその間の領域が暗部として視認され難くなる。これにより、ＬＥＤ２４の設置個数を少なくすることが可能となっている。この拡散レンズ２７は、平面に視てＬＥＤ２４とほぼ同心となる位置に配されている。なお、図７では、基板保持部材２８の断面構成を図示しているため、拡散レンズ２７については紙面奥側に配されたものの側面が図示されている。
【００４５】
（基板保持部材）
基板保持部材２８について説明する。基板保持部材２８は、ポリカーボネートなどの合成樹脂製とされており、表面が光の反射性に優れた白色を呈する。基板保持部材２８は、図６から図８に示すように、ＬＥＤ基板２５の板面に沿う本体部２８ａと、本体部２８ａから裏側、つまりシャーシ２２側に向けて突出してシャーシ２２に固定される固定部２８ｂとを備える。本体部２８ａは、平面に視て略円形の板状をなすとともに、シャーシ２２の底板２２ａとの間で少なくともＬＥＤ基板２５を挟持可能とされる。固定部２８ｂは、ＬＥＤ基板２５及びシャーシ２２の底板２２ａにおける基板保持部材２８の取付位置に対応してそれぞれ形成された挿通孔２５ｂ及び取付孔を貫通しつつ底板２２ａに対して係止可能とされる。この基板保持部材２８は、図６に示すように、ＬＥＤ基板２５及びシャーシ２２の底板２２ａの面内において複数が適宜に分散配置されており、Ｘ軸方向について拡散レンズ２７（ＬＥＤ２４）に対して隣り合う位置に配されている。
【００４６】
なお、基板保持部材２８には、図６及び図８に示すように、本体部２８ａとシャーシ２２の底板２２ａとの間で反射シート２９の底部２９ａを介することなくＬＥＤ基板２５を挟持するもの（第１基板保持部材）と、本体部２８ａとシャーシ２２の底板２２ａとの間でＬＥＤ基板２５と共に反射シート２９の底部２９ａを挟持するもの（第２基板保持部材）との２種類が含まれている。このうち、ＬＥＤ基板２５と共に反射シート２９の底部２９ａを挟持する基板保持部材２８（第２基板保持部材）には、本体部２８ａから表側に突出する支持部２８ｃが設けられたものと、支持部２８ｃを有さないものとの２種類が含まれている。この支持部２８ｃは、光学部材２３（直接的には拡散板２３ａ）を裏側から支持することが可能とされ、それによりＬＥＤ２４と光学部材２３とのＺ軸方向の位置関係を一定に維持することができるとともに光学部材２３の不用意な変形を規制することができる。
【００４７】
（反射シート）
反射シート２９は、合成樹脂製とされ、表面が光の反射性に優れた白色を呈するものとされる。反射シート２９は、図６から図８に示すように、シャーシ２２の内面のほぼ全域にわたって敷設される大きさを有しているので、シャーシ２２内に並列して配された全ＬＥＤ基板２５を表側から一括して覆うことが可能とされる。この反射シート２９によりシャーシ２２内の光を光学部材２３側に向けて効率的に立ち上げることができる。反射シート２９は、シャーシ２２の底板２２ａに沿って延在するとともに底板２２ａの大部分を覆う大きさの底部２９ａと、底部２９ａの各外端から表側に立ち上がるとともに底部２９ａに対して傾斜状をなす４つの立ち上がり部２９ｂと、各立ち上がり部２９ｂの外端から外向きに延出するとともにシャーシ２２の受け板２２ｃに載せられる延出部２９ｃとから構成されている。この反射シート２９の底部２９ａが各ＬＥＤ基板２５における表側の面、つまりＬＥＤ２４の実装面に対して表側に重なるよう配される。また、反射シート２９の底部２９ａには、各拡散レンズ２７（各ＬＥＤ２４）と平面視重畳する位置に各拡散レンズ２７を挿通するレンズ挿通孔が開口して設けられている。
【００４８】
また、底部２９ａには、各基板保持部材２８と平面視重畳する位置に固定部２８ｂを通すための基板保持部材挿通孔が開口して設けられており、特に底部２９ａを介することなくＬＥＤ基板２５を保持する基板保持部材２８（第１基板保持部材）に対応する基板保持部材挿通孔については、その本体部２８ａをも通すことが可能な大きさとされている。これにより、シャーシ２２内に収容したＬＥＤ基板２５を予め上記基板保持部材２８（第１基板保持部材）によってシャーシ２２の底板２２ａに保持させることができ、その後反射シート２９をシャーシ２２内に敷設する際に、底部２９ａが上記基板保持部材２８（第１基板保持部材）の本体部２８ａに乗り上げることが回避される。なお、底部２９ａは、シャーシ２２内に敷設された後に取り付けられる基板保持部材２８（第２基板保持部材）によってＬＥＤ基板２５と共にシャーシ２２に保持されて浮きや撓みが生じ難いものとされる。
【００４９】
（液晶パネルの４原色化、及びカラーフィルタの着色部の面積比率を異ならせることの意義）
なお、既述した通り本実施形態に係る液晶パネル１１のカラーフィルタ１９は、図３及び図５に示すように、光の３原色である各着色部Ｒ，Ｇ，Ｂに加えて黄色の着色部Ｙを有しているので、透過光により表示される表示画像の色域が拡張されており、もって色再現性に優れた表示を実現できるものとされる。しかも、黄色の着色部Ｙを透過した光は、視感度のピークに近い波長を有することから、人間の目には少ないエネルギーでも明るく知覚される傾向とされる。これにより、バックライト装置１２が有するＬＥＤ２４の出力を抑制しても十分な輝度を得ることができることとなり、ＬＥＤ２４の消費電力を低減でき、もって環境性能にも優れる、といった効果が得られる。
【００５０】
その一方、上記のような４原色タイプの液晶パネル１１を用いると、液晶パネル１１の表示画像が全体として黄色味を帯び易くなる傾向とされる。これを回避するため、本実施形態に係るバックライト装置１２では、ＬＥＤ２４における色度が黄色の補色である青色気味に調整されており、それにより表示画像における色度を補正するようにしている。このこともあって、既述したようにバックライト装置１２が有するＬＥＤ２４は、主発光波長が青色の波長領域に存するものとされ、青色の波長領域に存する光の発光強度が最も高いものとされている。
【００５１】
上記のようにＬＥＤ２４における色度を調整するに際しては、その色度を白色から青色に近づけるほど、その発光光の輝度が低下する傾向にあることが本願発明者の研究により判明した。そこで、本実施形態においては、カラーフィルタ１９を構成する青色の着色部Ｂの面積比率を緑色の着色部Ｇ及び黄色の着色部Ｙよりも相対的に大きくするようにしており、それによりカラーフィルタ１９の透過光に、黄色の補色である青色光をより多く含ませることができる。これにより、表示画像の色度を補正すべくＬＥＤ２４の色度を調整する上で、ＬＥＤ２４の色度をそれほど青色気味に調整する必要がなくなり、もって色度調整に伴うＬＥＤ２４の輝度低下が抑制することが可能とされる。
【００５２】
さらには、本願発明者の研究によれば、４原色タイプの液晶パネル１１を用いると、液晶パネル１１の出射光のうち特に赤色光の明度が低下することが判明している。これは、４原色タイプの液晶パネル１１では、３原色タイプのものに比べると、１つの画素を構成するサブ画素が３つから４つに増加するため、個々のサブ画素の面積は減少し、それに起因して特に赤色光の明度が低下している、と推考される。そこで、本実施形態においては、カラーフィルタ１９を構成する赤色の着色部Ｒの面積比率を緑色の着色部Ｇ及び黄色の着色部Ｙよりも相対的に大きくするようにしており、それによりカラーフィルタ１９の透過光に赤色光をより多く含ませることができ、もってカラーフィルタ１９の４色化に伴って生じる赤色光の明度低下を抑制することができる。
【００５３】
（本実施形態の要部に係る構成についての説明）
さて、本実施形態に係るＬＥＤ基板２５は、図９に示すように、Ｘ軸方向について隣り合うもの、つまりＬＥＤ基板群３１を構成する３枚が相互に電気的に接続されるとともに、その両端に配されたもの（端側ＬＥＤ基板２５Ｅ）がシャーシ２２の外部に配されたＬＥＤ駆動回路基板（電源）３０に接続されることで、駆動電力の供給を受けることが可能とされている。このようにすれば、仮に１枚または２枚のＬＥＤ基板を備える構成とした場合に比べると、液晶表示装置１０の画面サイズ、つまりバックライト装置１２の大きさに拘わらず、ＬＥＤ基板２５を汎用的な大きさとすることができるので、ＬＥＤ基板２５に係る製造コストを低廉化することができるとともに、バックライト装置１２及び液晶表示装置１０の大型化を容易に図ることができる。また、仮に全てのＬＥＤ基板に対して個別に配線部材によってＬＥＤ駆動回路基板３０を接続すると、配線部材の数が多くなるとともにシャーシ２２の中央側部分にも配線部材を配索する必要が生じて複雑化するなどの問題が生じるが、上記のように両端に配されたＬＥＤ基板２５（端側ＬＥＤ基板２５Ｅ）のみにＬＥＤ駆動回路基板３０を接続することで、配線部材３６の数を削減してその配線経路を簡単なものとすることができる。そして、ＬＥＤ基板群３１を構成する３枚のＬＥＤ基板２５は、図１２に示すように、中央側に配されるものが中央側ＬＥＤ基板２５Ｃとされるのに対して、その両側に配されるものが一対の端側ＬＥＤ基板２５Ｅとされており、このうち中央側ＬＥＤ基板２５Ｃには、折り返し型基板配線部３２が設けられているところに特徴を有している。この折り返し型基板配線部３２により、中央側ＬＥＤ基板２５Ｃに実装された複数のＬＥＤ２４の一部が一方の端側ＬＥＤ基板２５Ｅに、上記複数のＬＥＤ２４の残りが他方の端側ＬＥＤ基板２５Ｅにそれぞれ分けて接続されるので、例えば一方の端側ＬＥＤ基板２５Ｅと他方の端側ＬＥＤ基板２５Ｅとにそれぞれ異なる電力を供給すれば、中央側ＬＥＤ基板２５Ｃに実装された複数のＬＥＤ２４の一部と残りとを、異なる輝度で点灯させることができるのである。以下、各ＬＥＤ基板２５Ｃ，２５Ｅに係る配線構成（給電回路）について詳しく説明する。なお、ＬＥＤ駆動回路基板３０は、当該液晶表示装置１０の電力供給源である電源回路基板Ｐ（図１参照）に接続されるとともに電力の供給を受けるものとされている。
【００５４】
一対の端側ＬＥＤ基板２５Ｅは、図９に示すように、中央側ＬＥＤ基板２５Ｃに対してその長さ方向（Ｘ軸方向）について両側に隣り合って配されるとともに、シャーシ２２の底板２２ａにおける長辺方向（Ｘ軸方向）について両端側に位置して配されている。なお、一対の端側ＬＥＤ基板２５Ｅは、いずれも６個のＬＥＤ２４が実装された６個実装タイプのＬＥＤ基板２５とされる。端側ＬＥＤ基板２５Ｅは、その長さ方向の両端部に一対のコネクタ３４，３５を有しており、このうちシャーシ２２の端側（中央側ＬＥＤ基板２５Ｃ側とは反対側）に配されたものが配線部材（中継部材）３６を介してＬＥＤ駆動回路基板３０に接続される電源接続コネクタ（電源接続部）３４とされるのに対し、中央側ＬＥＤ基板２５Ｃ側に配されたものが中央側ＬＥＤ基板２５Ｃに接続される端側基板接続コネクタ（基板接続部）３５とされる。
【００５５】
端側ＬＥＤ基板２５Ｅには、図１２に示すように、その長さ方向に沿って延在する基板配線部３３が設けられており、この基板配線部３３は、実装された各ＬＥＤ２４を横切りつつ全てのＬＥＤ２４に接続される接続配線部３３ａと、各ＬＥＤ２４には接続されないスルー配線部３３ｂとを備えており、各配線部３３ａ，３３ｂの両端部がそれぞれ電源接続コネクタ３４と端側基板接続コネクタ３５とに接続されている。接続配線部３３ａは、一方の端部が電源接続コネクタ３４に接続されるアノード側端子部３３ａ１とされるのに対し、他方の端部が端側基板接続コネクタ３５に接続されるカソード側端子部３３ａ２とされる。スルー配線部３３ｂは、一方の端部が端側基板接続コネクタ３５に接続されるアノード側端子部３３ｂ１とされるのに対し、他方の端部が電源基板接続コネクタ３４に接続されるカソード側端子部３３ｂ２とされる。そして、これら一対の端側ＬＥＤ基板２５Ｅには、実装された各ＬＥＤ２４、基板配線部３３（接続配線部３３ａ及びスルー配線部３３ｂ）、電源接続コネクタ３４、及び端側基板コネクタ３５がそれぞれ点対称状に配されている。従って、一対の端側ＬＥＤ基板２５Ｅは、同一部品（共通部品）となっており、シャーシ２２に対する組付姿勢が互いに１８０度反転している、と言える。
【００５６】
ここで、ＬＥＤ駆動回路基板３０及び配線部材３６について説明する。ＬＥＤ駆動回路基板３０は、図１０に示すように、シャーシ２２の底板２２ａにおける裏側、つまりＬＥＤ基板２５が配された面とは反対側の面に取り付けられている。言い換えると、ＬＥＤ駆動回路基板３０は、ＬＥＤ基板２５との間でシャーシ２２の底板２２ａを表裏から挟み込んでいることになる。ＬＥＤ駆動回路基板３０には、一対の電源基板コネクタ３０ａが設けられており、これらが次述する配線部材３６にそれぞれ接続されている。一対の電源基板コネクタ３０ａは、ＬＥＤ駆動回路基板３０が有する第１駆動部３７と第２駆動部３８とにそれぞれ接続されている。第１駆動部３７及び第２駆動部３８は、それぞれ独立した電源を構成していて、一対の電源基板コネクタ３０ａに接続された各配線部材３６に対して異なる電力を供給することが可能とされている。また、各電源基板コネクタ３０ａは、図１２に示すように、正極側端子部３０ａ１と負極側端子部３０ａ２とをそれぞれ有している。
【００５７】
配線部材３６は、図９及び図１０に示すように、シャーシ２２内において対をなす形で配されている端側ＬＥＤ基板２５Ｅのうち、一方側（図９に示す左側）の端側ＬＥＤ基板（第１端側ＬＥＤ基板）２５Ｅに接続される第１配線部材３６Ａと、他方側（図９に右側）の端側ＬＥＤ基板（第２端側ＬＥＤ基板）２５Ｅに接続される第２配線部材３６Ｂとが対をなす形で備えられている。そして、第１配線部材３６ＡがＬＥＤ駆動回路基板３０の第１駆動部３７に、第２配線部材３６ＢがＬＥＤ駆動回路基板３０の第２駆動部３８に、それぞれ接続されている。配線部材３６は、可撓性を有する複数本の被覆電線３６ａと、被覆電線３６ａの両端部にそれぞれ設けられた一対の配線コネクタ３６ｂとからなる。被覆電線３６ａは、正極側のものと負極側のものとが接続対象であるＬＥＤ基板群３１（端側ＬＥＤ基板２５Ｅ）の数分ずつ用意されており、本実施形態では合計１８本とされている。被覆電線３６ａは、図１１に示すように、シャーシ２２内においては、底板２２ａの外縁部に沿って配索されるとともに反射シート２９の立ち上がり部２９ｂによって覆われている。配線コネクタ３６ｂは、図９及び図１０に示すように、被覆電線３６ａの束における両端末に１つずつ設けられている。一対の配線コネクタ３６ｂのうち、一方の配線コネクタ３６ｂは、図９に示すように、シャーシ２２の内部に配されて端側ＬＥＤ基板２５Ｅの電源接続コネクタ３４に、他方の配線コネクタ３６ｂは、図１０に示すように、シャーシ２２の裏側外部に配されてＬＥＤ駆動回路基板３０の電源基板コネクタ３０ａに接続される。各配線コネクタ３６ｂには、図１２に示すように、正極側端子部３６ｂ１及び負極側端子部３６ｂ２が備えられている。電源基板コネクタ３０ａに接続される配線コネクタ３６ｂは、その正極側端子部３６ｂ１が電源基板コネクタ３０ａの正極側端子部３０ａ１に、負極側端子部３６ｂ２が電源基板コネクタ３０ａの負極側端子部３０ａ２にそれぞれ接続される。電源接続コネクタ３４に接続される配線コネクタ３６ｂは、その正極側端子部３６ｂ１が電源接続コネクタ３４のアノード側端子部３３ｂ１に、負極側端子部３６ｂ２が電源接続コネクタ３４のカソード側端子部３３ｂ２にそれぞれ接続される。
【００５８】
上記したＬＥＤ駆動回路基板３０及びＬＥＤ基板２５は、図９及び図１０に示すように、シャーシ２２の底板２２ａを挟んで互いに反対側に配されていることから、シャーシ２２の底板２２ａには、これらを接続する配線部材３６を通すための配線挿通孔３９が貫通形成されている。配線挿通孔３９は、シャーシ２２の底板２２ａにおける外縁部に一対配されており、詳しくは底板２２ａのうち鉛直方向の上側における両角部近傍にそれぞれ配されている。一対の配線挿通孔３９のうち、一方（図９に示す左側、図１０に示す右側）の配線挿通孔３９が第１配線部材３６Ａを挿通するのに対し、他方（図９に示す右側、図１０に示す左側）の配線挿通孔３９が第２配線部材３６Ｂを挿通するものとされる。さらには、底板２２ａには、配線挿通孔３９の孔縁を取り囲む形で配されることで、配線部材３６の保護を図るための配線保護部材４０が取り付けられている。配線保護部材４０は、合成樹脂製とされており、配線挿通孔３９の孔縁を全周にわたって覆うとともにその孔縁を表裏から挟み込むことでシャーシ２２に対して取り付け状態に保持されている。配線保護部材４０には、配線挿通孔３９と平面に視て重畳するとともに配線挿通孔３９よりも一回り小さな開口部４０ａが形成されており、配線部材３６はこの開口部４０ａを通されることで、シャーシ２２の内外を行き来することができる。また、シャーシ２２の底板２２ａには、配線部材３６の配索経路上（シャーシ２２の外縁部）に位置するとともにそこに存在する配線部材３６の被覆電線３６ａを束ねた状態に保持する配線保持部材４１が設けられている。配線保持部材４１は、合成樹脂製で開閉可能なバンド状をなしており、配線部材３６の配索経路においてほぼ等間隔に複数分散配置され、シャーシ２２の外縁部に取り付けられている。配線保持部材４１は、シャーシ２２の底板２２ａの内面（ＬＥＤ基板２５が配された面）側と、外面（ＬＥＤ駆動回路基板３０が配された面）側とにそれぞれ配されている。
【００５９】
次に、中央側ＬＥＤ基板２５Ｃについて詳しく説明する。中央側ＬＥＤ基板２５Ｃは、図９に示すように、ＬＥＤ基板群３１を構成する一対の端側ＬＥＤ基板２５Ｅによって両側から挟み込まれる形で相対的に中央側に配されるとともに、シャーシ２２の底板２２ａにおける中央側に位置して配されている。なお、中央側ＬＥＤ基板２５Ｃは、４個のＬＥＤ２４が実装された４個実装タイプのＬＥＤ基板２５とされる。中央側ＬＥＤ基板２５Ｃは、その長さ方向の両端部に一対の中央側基板接続コネクタ（基板接続部）４２を有しており、各中央側基板接続コネクタ４２がそれぞれ隣り合う端側ＬＥＤ基板２５Ｅの端側基板接続コネクタ３５に接続されている。一対の中央側基板接続コネクタ４２のうち、ＬＥＤ駆動回路基板３０の第１駆動部３７から電力の供給を受ける（図１２に示す左側の）端側ＬＥＤ基板（第１端側ＬＥＤ基板）２５Ｅに接続されるものが第１中央側基板接続コネクタ４２Ａとされ、第２駆動部３８から電力の供給を受ける（図１２に示し右側の）端側ＬＥＤ基板（第２端側ＬＥＤ基板）２５Ｅに接続されるものが第２中央側基板接続コネクタ４２Ｂとされる。
【００６０】
そして、中央側ＬＥＤ基板２５Ｃには、図１２に示すように、両端部が中央側基板接続コネクタ４２に接続されるのに対して途中部分がＬＥＤ２４に接続されつつ折り返されてなる折り返し型基板配線部３２が設けられている。折り返し型基板配線部３２は、各中央側基板接続コネクタ４２に対応して一対備えられており、そのうち第１中央側基板接続コネクタ４２Ａに接続されるものが第１折り返し型基板配線部３２Ａとされ、第２中央側基板接続コネクタ４２Ｂに接続されるものが第２折り返し型基板配線部３２Ｂとされる。各折り返し型基板配線部３２Ａ，３２Ｂの途中部分は、中央側ＬＥＤ基板２５Ｃの長さ方向に沿って延在する一対の直線状部分３２ａ，３２ｂと、一対の直線状部分３２ａ，３２ｂのうち中央側基板接続コネクタ４２側とは反対側の端部同士を繋ぐとともにＵ字型をなす折り返し部分３２ｃとを有しており、直線状部分３２ａ，３２ｂの一方側がＬＥＤ２４を横切りつつＬＥＤ２４に接続される接続配線部３２ａとされ、他方側がＬＥＤ２４には接続されないスルー配線部３２ｂとされる。各折り返し型基板配線部３２Ａ，３２Ｂは、それぞれの接続配線部３２ａが、中央側ＬＥＤ基板２５Ｃに実装されたＬＥＤ２４のうちの同数ずつのＬＥＤ２４、具体的には２つずつのＬＥＤ２４に対して接続されている。これにより、中央側ＬＥＤ基板２５Ｃに実装されたＬＥＤ２４には、第１駆動部３７からの電力供給を受けて駆動されるもの（第１光源群）と、第２駆動部３８からの電力供給を受けて駆動されるもの（第２光源群）とが含まれることになり、供給される電力によってはそれぞれが異なる輝度で発光されるようになっている。また、折り返し型接続配線部３２の両端部のうち、一方の端部（接続配線部３２ａの端部）が中央側基板接続コネクタ４２に接続されるアノード側端子部３２ｄとされるのに対し、他方の端部（スルー配線部３２ｂの端部）が中央側基板接続コネクタ４２に接続されるカソード側端子部３２ｅとされる。このうち、中央側基板接続コネクタ４２のアノード側端子部３２ｄが、端側基板接続コネクタ３５のカソード側端子部３３ａ２に、中央側基板接続コネクタ４２のカソード側端子部３２ｅが、端側基板接続コネクタ３５のアノード側端子部３３ｂ１にそれぞれ接続される。
【００６１】
これら第１折り返し型基板配線部３２Ａ及び第２折り返し型基板配線部３２Ｂは、図１２に示すように、それぞれの折り返し部分３２ｃが中央側ＬＥＤ基板２５Ｃの中央側にて背中合わせ状に配されるとともに、ＬＥＤ２４に接続される直線状部分（接続配線部）３２ａと、ＬＥＤ２４に接続されない直線状部分（スルー配線部）３２ｂとが図１２に示す上下に反転した配置とされている。互いに隣り合って配される折り返し部分３２ｃの境界位置は、中央側ＬＥＤ基板２５Ｃの長さ方向についての中央位置とほぼ一致している。そして、この中央側ＬＥＤ基板２５Ｃには、ＬＥＤ２４、各中央側基板接続コネクタ４２Ａ，４２Ｂ、各折り返し型基板配線部３２Ａ，３２Ｂが２回対称となる回転対称をなすよう配されている。従って、中央側ＬＥＤ基板２５Ｃは、シャーシ２２に対する組み付けを行う際に、中央側ＬＥＤ基板２５Ｃを、その板面がシャーシ２２の底板２２ａの板面に並行させた状態で、１８０度反転したいずれの姿勢で組み付けたとしても、ＬＥＤ２４、各中央側基板接続コネクタ４２Ａ，４２Ｂ、各折り返し型基板配線部３２Ａ，３２Ｂが全て同一の配置となる。これにより、中央側ＬＥＤ基板２５Ｃの組み付け姿勢に方向性がなくなるので、組み付けに係る作業性を良好なものとすることができる。
【００６２】
（本実施形態の要部に係る作用及び効果についての説明）
上記した構成を有するバックライト装置１２を組み付けるに際しては、まず、シャーシ２２内にＬＥＤ２４が実装された各ＬＥＤ基板２５を収容するとともに、所定の位置に位置合わせしつつ基板保持部材２８（第１基板保持部材）によって各ＬＥＤ基板２５を底板２２ａに対して取り付け状態に保持する（図７及び図８を参照）。このＬＥＤ基板２５の組み付けに際しては、まず、対をなす端側ＬＥＤ基板２５Ｅが同一部品（共通部品）とされ、品種が１種類にまとめられているので、部品管理に係るコストが低くなっている。その上で、中央側ＬＥＤ基板２５Ｃについては、各実装部品などが点対称状に配されているので、１８０度反転したいずれの姿勢であっても組み付けが可能となっており、もって組み付けに係る作業性を良好なものとなる。各ＬＥＤ基板２５Ｃ，２５Ｅをシャーシ２２内に組み付ける際には、隣り合う端側ＬＥＤ基板２５Ｅの端側基板接続コネクタ３５と、中央側ＬＥＤ基板２５Ｃの中央側基板接続コネクタ４２とを嵌合接続させる。なお、配線保護部材４０については、予めシャーシ２２の配線挿通孔３９の孔縁に取り付けるようにしておく。
【００６３】
これに対し、各配線部材３６Ａ，３６Ｂについては、予めワイヤハーネス化しておき、その端末に各配線コネクタ３６ｂをそれぞれ設けるようにしておく。ワイヤハーネス化した配線部材３６の束は、全体をシャーシ２２内に収容するものの、片方の配線コネクタ３６ｂについてはそれぞれ対応する各配線挿通孔３９（開口部４０ａ）を通してシャーシ２２の裏側外部へと導出させておく（図１０を参照）。シャーシ２２内において、各配線部材３６Ａ，３６Ｂの束をシャーシ２２の外縁部に沿って配索したら、その配索経路上に配された配線保持部材４１によって配線部材３６Ａ，３６Ｂの束を保持するとともに、その束からもう片方の配線コネクタ３６ｂを対応する各端側ＬＥＤ基板２５Ｅ側に引き出しておく（図９参照）。そして、引き出した配線コネクタ３６ｂを、対応する端側ＬＥＤ基板２５Ｅにおける電源接続コネクタ３４に対して嵌合接続する（図９参照）。なお、上記した作業の手順は適宜に変更可能であり、例えば各コネクタ３４，３６ｂの嵌合作業を行ってから、配線保持部材４１による配線部材３６Ａ，３６Ｂの保持を行うようにしても構わない。
【００６４】
図９に示すように、全ての端側ＬＥＤ基板２５Ｅの電源接続コネクタ３４に対して各配線コネクタ３６ｂを嵌合接続したら、続いてシャーシ２２内に反射シート２９を敷設する作業を行う。このとき、反射シート２９の底部２９ａにおける各レンズ挿通孔に各拡散レンズ２７（ＬＥＤ２４）を位置合わせしつつ挿通させるとともに、各延出部２９ｃを各受け板２２ｃに載せる。続いて、基板保持部材（第２基板保持部材）２８を取り付けることで、底部２２ａをＬＥＤ基板２５と共にシャーシ２２の底板２２ａに対して共締めする。その後、シャーシ２２の光出射部２２ｄを覆うようにして各光学部材２３を延出部２９ｃ上に載置する。なお、シャーシ２２の裏側の組み付けに関しては、図１０に示すように、底板２２ａの裏側における所定の位置にＬＥＤ駆動回路基板３０を取り付けるとともに、一対の電源基板コネクタ３０ａに対して各配線部材３６Ａ，３６Ｂの配線コネクタ３６ｂをそれぞれ嵌合接続する。このようにしてバックライト装置１２が製造される。バックライト装置１２には、フレーム２６、液晶パネル１１及びベゼル１３が順次に組み付けられることで、液晶表示装置１０が製造される。
【００６５】
上記のようにして製造された液晶表示装置１０の電源をＯＮすると、バックライト装置１２に備えられたＬＥＤ駆動回路基板３０から各配線部材３６を介して各ＬＥＤ基板２５に電力が供給されることで、各ＬＥＤ２４が点灯されるとともに、図示しない表示制御回路基板により液晶パネル１１の駆動が制御され、それにより液晶パネル１１の表示面に所定の画像が表示されるようになっている。各ＬＥＤ２４からの光は、拡散レンズ２７によって拡散されつつ光学部材２３に照射され、光学部材２３を透過する過程で所定の光学作用を付与された後、液晶パネル１１へと照射される。以下、ＬＥＤ基板２５の給電回路の作用に関して詳しく説明する。
【００６６】
本実施形態に係るＬＥＤ駆動回路基板３０は、互いに独立した電力を供給することが可能とされた第１駆動部３７及び第２駆動部３８を有しており、このうち第１駆動部３７が第１配線部材３６Ａによって図９及び図１２に示す左側の端側ＬＥＤ基板（第１端側ＬＥＤ基板）２５Ｅの全ＬＥＤ２４、及び中央側ＬＥＤ基板２５Ｃのうち第１折り返し型基板配線部３２Ａに接続されたＬＥＤ２４に駆動電力を供給するのに対し、第２駆動部３８が第２配線部材３６Ｂによって図９及び図１２に示す右側の端側ＬＥＤ基板（第２端側ＬＥＤ基板）２５Ｅの全ＬＥＤ２４、及び中央側ＬＥＤ基板２５Ｃのうち第２折り返し型基板配線部３２Ｂに接続されたＬＥＤ２４に駆動電力を供給している。つまり、シャーシ２２の底板２２ａの面内に行列状に並列配置されたＬＥＤ２４のうち、図９及び図１２に示す左側半分のＬＥＤ２４に対して第１駆動部３７からの駆動電力が、同図右側半分のＬＥＤ２４に対して第２駆動部３８からの駆動電力がそれぞれ供給される。従って、第１駆動部３７と第２駆動部３８とで供給する電力量（具体的には電流値や電圧値）を異ならせるようにすれば、例えば、液晶パネル１１の表示面を図１及び図２に示す左右２つの表示領域に分けるとともにそれらの表示領域に異なる画像を同時に表示する、いわゆる２画面表示を行う際に、各表示領域にバックライト装置１２から供給する光量を異ならせることができ、それにより各表示領域に表示される画像の輝度を、その画像に適合したものとすることができるとともに、各画像の表示品位を高くすることができる。特に、中央側ＬＥＤ基板２５Ｃが有する各折り返し型基板配線部３２Ａ，３２Ｂが同数のＬＥＤ２４にそれぞれ接続されるとともに、その境界位置が中央側ＬＥＤ基板２５Ｃの長さ方向についての中央位置とほぼ一致しているから、液晶パネル１１の各表示領域に対して第１駆動部３７に接続されたＬＥＤ２４からの光と、第２駆動部３８に接続されたＬＥＤ２４からの光とをそれぞれより適切に供給することができ、それにより各表示領域に表示される画像の表示品位をより高いものとすることができる。なお、第１駆動部３７及び第２駆動部３８の供給電力量を揃えるようにすれば、シャーシ２２内のＬＥＤ２４を全て同じ輝度で発光させることができる。
【００６７】
以上説明したように本実施形態のバックライト装置（照明装置）１２は、ＬＥＤ（光源）２４と、ＬＥＤ２４が収容されるシャーシ２２と、シャーシ２２の中央側に配されＬＥＤ２４が実装される中央側ＬＥＤ基板２５Ｃと、シャーシ２２において中央側ＬＥＤ基板２５Ｃの両側に配されＬＥＤ２４が実装されるとともに外部から電力が供給される少なくとも一対の端側ＬＥＤ基板２５Ｅと、中央側ＬＥＤ基板２５Ｃと中央側ＬＥＤ基板２５Ｃに隣り合う端側ＬＥＤ基板２５Ｅとに接続される基板接続部である端側基板接続コネクタ３５及び中央側基板接続部コネクタ４２と、中央側ＬＥＤ基板２５Ｃに設けられるものであって、両端部が基板接続部である中央側基板接続部コネクタ４２に接続されるのに対して途中部分がＬＥＤ２４に接続されつつ折り返されてなる折り返し型基板配線部３２と、を備える。
【００６８】
このようにすれば、シャーシ２２の中央側に配される中央側ＬＥＤ基板２５Ｃと、シャーシ２２において中央側ＬＥＤ基板２５Ｃの両側に配される少なくとも一対の端側ＬＥＤ基板２５Ｅとが備えられているので、仮に２枚以下のＬＥＤ基板を備える構成とした場合に比べると、端側ＬＥＤ基板２５Ｅ及び中央側ＬＥＤ基板２５Ｃを汎用的な大きさとしつつも当該バックライト装置１２の大型化に容易に対応することができ、もって各ＬＥＤ基板２５Ｃ，２５Ｅの製造コストを低減できるとともに当該バックライト装置１２の大型化を図ることができる。
【００６９】
その上で、中央側ＬＥＤ基板２５Ｃは、基板接続部である端側基板接続コネクタ３５及び中央側基板接続部コネクタ４２によって隣り合う端側ＬＥＤ基板２５Ｅに接続されるとともに、両端部が基板接続部である中央側基板接続部コネクタ４２に接続されるのに対して途中部分がＬＥＤ２４に接続されつつ折り返されてなる折り返し型基板配線部３２を有しているから、中央側ＬＥＤ基板２５Ｃの両側に配される少なくとも一対の端側ＬＥＤ基板２５Ｅに電力を供給すると、基板接続部である端側基板接続コネクタ３５及び中央側基板接続部コネクタ４２によって接続された中央側ＬＥＤ基板２５Ｃとそれに隣り合う端側ＬＥＤ基板２５Ｅとに実装された各ＬＥＤ２４を同等の輝度で点灯させることができる一方で、他の端側ＬＥＤ基板２５Ｅに実装されたＬＥＤ２４については異なる輝度で点灯させることができる。従って、少なくとも一対の端側ＬＥＤ基板２５Ｅと中央側ＬＥＤ基板２５Ｃとに実装された各ＬＥＤ２４を異なる輝度で点灯させることができ、もって当該バックライト装置１２を部分的に異なる輝度で駆動することができる。本実施形態によれば、輝度を部分的に異ならせる駆動を実現することができる。
【００７０】
また、基板接続部である中央側基板接続部コネクタ４２には、中央側ＬＥＤ基板２５Ｃと中央側ＬＥＤ基板２５Ｃに隣り合う一方の端側ＬＥＤ基板２５Ｅとを接続する第１中央側基板接続部コネクタ（第１基板接続部）４２Ａと、中央側ＬＥＤ基板２５Ｃと中央側ＬＥＤ基板２５Ｃに隣り合う他方の端側ＬＥＤ基板２５Ｅとを接続する第２中央側基板接続部コネクタ（第２基板接続部）４２Ｂとが含まれるのに対し、中央側ＬＥＤ基板２５Ｃは、ＬＥＤ２４が複数実装されるとともに、折り返し型基板配線部３２に、第１中央側基板接続部コネクタ４２Ａと複数のＬＥＤ２４の一部とに接続される第１折り返し型基板配線部３２Ａと、第２中央側基板接続部コネクタ４２Ｂと複数のＬＥＤ２４の残りとに接続される第２折り返し型基板配線部３２Ｂとが含まれる構成とされている。このようにすれば、中央側ＬＥＤ基板２５Ｃに実装された複数のＬＥＤ２４の一部については、第１折り返し型基板配線部３２Ａに接続されているので、第１中央側基板接続部コネクタ４２Ａに接続された一方の端側ＬＥＤ基板２５ＥのＬＥＤ２４と同等の輝度で点灯される。これに対して、中央側ＬＥＤ基板２５Ｃに実装された複数のＬＥＤ２４の残りについては、第２折り返し型基板配線部３２Ｂに接続されているので、第２中央側基板接続部コネクタ４２Ｂに接続された他方の端側ＬＥＤ基板２５ＥのＬＥＤ２４と同等の輝度で点灯される。つまり、中央側ＬＥＤ基板２５Ｃに実装された複数のＬＥＤ２４を異なる輝度で点灯させることができる。
【００７１】
また、中央側ＬＥＤ基板２５Ｃに実装された複数のＬＥＤ２４は、第１折り返し型基板配線部３２Ａと第２折り返し型基板配線部３２Ｂとに同数ずつ接続されている。このようにすれば、中央側ＬＥＤ基板２５Ｃに実装された複数のＬＥＤ２４を同数ずつ、異なる輝度で点灯させることができる。
【００７２】
また、中央側ＬＥＤ基板２５Ｃに実装された複数のＬＥＤ２４は、第１折り返し型基板配線部３２Ａに接続されたものと、第２折り返し型基板配線部３２Ｂに接続されたものとの境界位置が中央側ＬＥＤ基板２５Ｃの中央位置とほぼ一致するよう配されている。このようにすれば、第１折り返し型基板配線部３２Ａに接続されたＬＥＤ２４と、第２折り返し型基板配線部３２Ｂに接続されたＬＥＤ２４とを異なる輝度で点灯させると、当該バックライト装置１２の出射光は、中央側ＬＥＤ基板２５Ｃの中央位置を境にして異なる輝度となる。
【００７３】
また、中央側ＬＥＤ基板２５Ｃには、ＬＥＤ２４、第１折り返し型基板配線部３２Ａ及び第２折り返し型基板配線部３２Ｂが回転対称をなすよう配されている。このようにすれば、中央側ＬＥＤ基板２５Ｃを第１中央側基板接続部コネクタ４２Ａ及び第２中央側基板接続部コネクタ４２Ｂによって両側の端側ＬＥＤ基板２５Ｅに接続する作業を行うに際して、中央側ＬＥＤ基板２５Ｃの姿勢が回転対称となるいずれの姿勢であっても接続が許容されるから、作業性が良好なものとなる。
【００７４】
また、少なくとも一対の端側ＬＥＤ基板２５Ｅのうち中央側ＬＥＤ基板２５Ｃの両側に隣り合う一対の端側ＬＥＤ基板２５Ｅには、実装されたＬＥＤ２４と基板接続部である端側基板接続コネクタ３５とに接続される基板配線部３３がそれぞれ設けられるとともに、それぞれのＬＥＤ２４及び基板配線部３３が点対称状に配されている。このようにすれば、中央側ＬＥＤ基板２５Ｃの両側に隣り合う一対の端側ＬＥＤ基板２５Ｅとして同一部品を用いることが可能となるので、端側ＬＥＤ基板２５Ｅに係る製造コスト及び部品管理などに係るコストの低減を図ることができる。
【００７５】
また、少なくとも一対の端側ＬＥＤ基板２５Ｅのうちシャーシ２２の両端側に配される一対の端側ＬＥＤ基板２５Ｅには、実装されたＬＥＤ２４に電力を供給する外部の電源に接続される電源接続コネクタ（電源接続部）３４と、ＬＥＤ２４と電源接続コネクタ３４と基板接続部である端側基板接続コネクタ３５とに接続される基板配線部３３とがそれぞれ設けられるとともに、それぞれのＬＥＤ２４、電源接続コネクタ３４及び基板配線部３３が点対称状に配されている。このようにすれば、シャーシ２２の両端側に配される一対の端側ＬＥＤ基板２５Ｅとして同一部品を用いることが可能となるので、端側ＬＥＤ基板２５Ｅに係る製造コスト及び部品管理などに係るコストをさらに低減させることができる。
【００７６】
また、中央側ＬＥＤ基板２５Ｃの両側に隣り合う一対の端側ＬＥＤ基板２５Ｅは、シャーシ２２の両端側に配されている。このようにすれば、中央側ＬＥＤ基板２５Ｃの両側に隣り合う一対の端側ＬＥＤ基板２５Ｅがシャーシ２２の両端側に配されるので、シャーシ２２における端側ＬＥＤ基板２５Ｅの設置数が２つとなる。従って、仮に端側ＬＥＤ基板を３つ以上設置した場合に端側ＬＥＤ基板同士を接続する基板接続部である端側基板接続コネクタを設ける必要が生じるのに比べると、基板接続部である端側基板接続コネクタ３５及び中央側基板接続部コネクタ４２の設置数を削減することができる。
【００７７】
また、シャーシ２２は、ＬＥＤ２４からの光を出射させる光出射部２２ｄと、中央側ＬＥＤ基板２５Ｃ及び少なくとも一対の端側ＬＥＤ基板２５Ｅに対して光出射部２２ｄ側とは反対側に配されるとともに中央側ＬＥＤ基板２５Ｃ及び少なくとも一対の端側ＬＥＤ基板２５Ｅの板面に沿って延在する底板２２ａとを有しており、基板接続部である端側基板接続コネクタ３５及び中央側基板接続部コネクタ４２によって相互に接続される中央側ＬＥＤ基板２５Ｃ及び少なくとも一対の端側ＬＥＤ基板２５Ｅを１つのＬＥＤ基板群３１としたとき、底板２２ａの面内には、ＬＥＤ基板群３１が、ＬＥＤ基板群３１をなす中央側ＬＥＤ基板２５Ｃ及び少なくとも一対の端側ＬＥＤ基板２５Ｅの並び方向と略直交する方向に沿って複数並んで配されている。このようにすれば、中央側ＬＥＤ基板２５Ｃ及び端側ＬＥＤ基板２５Ｅの各ＬＥＤ２４からの光が、底板２２ａ側とは反対側の光出射部２２ｄから外部へと出射されるから、仮に導光板などを介在させる構成のものに比べると、出射光の輝度を高くすることができる。複数のＬＥＤ基板群３１をなす各中央側ＬＥＤ基板２５Ｃ及び各端側ＬＥＤ基板２５Ｅが底板２２ａの面内に行列状に並列配置されているから、各端側ＬＥＤ基板２５Ｅと各中央側ＬＥＤ基板２５Ｃとに実装された各ＬＥＤ２４を異なる輝度で点灯させると、光出射部２２ｄからの出射光を底板２２ａの面内における各領域毎に異なる輝度とすることが可能となる。
【００７８】
また、中央側ＬＥＤ基板２５Ｃ及び少なくとも一対の端側ＬＥＤ基板２５Ｅは、並び方向に沿って延在する長手状をなしており、ＬＥＤ基板群３１は、並び方向と略直交する方向に沿って複数が間欠的に並んで配されている。このようにすれば、仮にＬＥＤ基板群をなす中央側ＬＥＤ基板及び端側ＬＥＤ基板を、並び方向と略直交する方向に沿って延在する形態とした場合に比べると、隣り合うＬＥＤ基板群３１間に保有される間隔の分だけ、中央側ＬＥＤ基板２５Ｃ及び端側ＬＥＤ基板２５Ｅの面積を削減することができる。これにより、中央側ＬＥＤ基板２５Ｃ及び端側ＬＥＤ基板２５Ｅに係る材料費を削減できてコストの低廉化を図ることができるとともに軽量化をも図ることができる。
【００７９】
＜実施形態２＞
本発明の実施形態２を図１３によって説明する。この実施形態２では、各ＬＥＤ基板１２５Ｃ，１２５Ｅの配線構成を変更したものを示す。なお、上記した実施形態１と同様の構造、作用及び効果について重複する説明は省略する。
【００８０】
一対の端側ＬＥＤ基板１２５Ｅのうち第２駆動部１３８に接続される端側ＬＥＤ基板（第２端側ＬＥＤ基板）１２５Ｅは、図１３に示すように、並列された各ＬＥＤ１２４のアノード側が電源接続コネクタ１３４側に、各ＬＥＤ１２４のカソード側が端側基板接続コネクタ１３５側にそれぞれ接続される配線構成を有している。詳しくは、この端側ＬＥＤ基板１２５Ｅに設けられた基板配線部１３３を構成する接続配線部１３３ａは、アノード側端子部１３３ａ１が端側基板接続コネクタ１３５に、カソード側端子部１３３ａ２が電源接続コネクタ１３４にそれぞれ接続されているのに対し、スルー配線部１３３ｂは、アノード側端子部１３３ｂ１が電源接続コネクタ１３４に、カソード側端子部１３３ｂ２が端側基板接続コネクタ１３５にそれぞれ接続されている。一方、中央側ＬＥＤ基板１２５Ｃのうち第２駆動部１３８に接続される第２折り返し型基板配線部１３２Ｂは、一対の直線状部分１３２ａ，１３２ｂのうち、接続配線部１３２ａの端部がカソード側端子部１３２ｅとされるのに対し、スルー配線部１３２ｂの端部がアノード側端子部１３２ｄとされている。これらアノード側端子部１３２ｄ及びカソード側端子部１３２ｅを備える第２中央側基板接続コネクタ１４２Ｂは、既述した端側ＬＥＤ基板１２５Ｅの端側基板接続コネクタ１３５に接続されることで、第２駆動部１３８からの電力が中央側ＬＥＤ基板１２５Ｃの第２折り返し型基板配線部１３２Ｂに供給されるようになっている。本実施形態に係る一対の端側ＬＥＤ基板１２５Ｅには、ＬＥＤ１２４及び基板配線部１３３などが非点対称状に配されており、一対の端側ＬＥＤ基板１２５Ｅが非同一部品とされている。また、本実施形態に係る中央側ＬＥＤ基板１２５Ｃには、ＬＥＤ１２４及び各折り返し型基板配線部１３２Ａ，１３２Ｂなどが非回転対称状に配されている。なお、第１駆動部１３７に接続される端側ＬＥＤ基板（第１端側ＬＥＤ基板）１２５Ｅに設けられた基板配線部１３３、及び中央側ＬＥＤ基板１２５Ｃの第１折り返し型基板配線部１３２Ａについては、上記した実施形態１と同様である。
【００８１】
＜実施形態３＞
本発明の実施形態３を図１４によって説明する。この実施形態３では、各ＬＥＤ基板２２５Ｃ，２２５Ｅの配線構成を変更したものを示す。なお、上記した実施形態１と同様の構造、作用及び効果について重複する説明は省略する。
【００８２】
一対の端側ＬＥＤ基板２２５Ｅに設けられた各ＬＥＤ２２４、各基板配線部２３３及び各コネクタ２３４，２３５は、図１４に示すように、左右に反転すると同じ配置となるような線対称状の配置構成とされている。同様に、中央側ＬＥＤ基板２２５Ｃに設けられた各ＬＥＤ２２４、各折り返し型基板配線部２３２Ａ，２３２Ｂ及び各中央側基板接続コネクタ２４２Ａ，２４２Ｂは、左右に反転すると同じ配置となるような線対称状の配置構成とされている。
【００８３】
＜実施形態４＞
本発明の実施形態４を図１５または図１６によって説明する。この実施形態４では、ＬＥＤ基板群３３１を構成するＬＥＤ基板３２５の枚数及びその配線構成を変更したものを示す。なお、上記した実施形態１と同様の構造、作用及び効果について重複する説明は省略する。
【００８４】
本実施形態に係るＬＥＤ基板群３３１は、図１５に示すように、シャーシ３２２内においてＸ軸方向に沿って並列された４枚のＬＥＤ基板３２５により構成されている。詳しくは、ＬＥＤ基板群３３１を構成する４枚のＬＥＤ基板３２５は、シャーシ３２２の両端側に配される一対の端側ＬＥＤ基板３２５Ｅと、一対の端側ＬＥＤ基板３２５Ｅに挟まれる形でシャーシ３２２の中央側に配される一対の中央側ＬＥＤ基板３２５Ｃとからなる。一対の中央側ＬＥＤ基板３２５Ｃは、共に２個のＬＥＤ３２４が実装された２個実装タイプのＬＥＤ基板３２５とされる。一対の中央側ＬＥＤ基板３２５Ｃには、その長さ方向の両端部のうち端側ＬＥＤ基板３２５Ｅ側の端部に、端側基板接続コネクタ３３５に接続される中央側基板接続コネクタ３４２が設けられている。一対の中央側ＬＥＤ基板３２５Ｃのうち、図１５に示す左側にあって第１駆動部３３７に接続される端側ＬＥＤ基板（第１端側ＬＥＤ基板）３２５Ｅ側の中央側ＬＥＤ基板（第１中央側ＬＥＤ基板）３２５Ｃは、第１中央側基板接続コネクタ３４２Ａを有しているのに対し、図１５に示す右側にあって第２駆動部３３８に接続される端側ＬＥＤ基板（第２端側ＬＥＤ基板）３２５Ｅ側の中央側ＬＥＤ基板（第２中央側ＬＥＤ基板）３２５Ｃは、第２中央側基板接続コネクタ３４２Ｂを有している。
【００８５】
一対の中央側ＬＥＤ基板３２５Ｃのうち、第１中央側基板接続コネクタ３４２Ａを有する中央側ＬＥＤ基板（第１中央側ＬＥＤ基板）３２５Ｃには、図１６に示すように、両端部が第１中央側基板接続コネクタ３４２Ａに接続されるのに対して途中部分がＬＥＤ３２４に接続されつつ折り返されてなる第１折り返し型基板配線部３３２Ａが設けられている。一方、第２中央側基板接続コネクタ３４２Ｂを有する中央側ＬＥＤ基板（第２中央側ＬＥＤ基板）３２５Ｃには、両端部が第２中央側基板接続コネクタ３４２Ｂに接続されるのに対して途中部分がＬＥＤ３２４に接続されつつ折り返されてなる第２折り返し型基板配線部３３２Ｂが設けられている。そして、これら一対の中央側ＬＥＤ基板３２５Ｃには、実装された各ＬＥＤ２２４、折り返し型基板配線部３３２、及び中央側基板接続コネクタ３４２がそれぞれ点対称状に配されている。従って、一対の中央側ＬＥＤ基板３２５Ｃは、同一部品（共通部品）となっており、シャーシ３２２に対する組付姿勢が互いに１８０度反転している、と言える。
【００８６】
以上説明したように本実施形態によれば、中央側ＬＥＤ基板３２５Ｃは、複数が互いに隣り合う形で配されている。このようにすれば、当該バックライト装置のさらなる大型化を図る上で好適となる。
【００８７】
また、複数の中央側ＬＥＤ基板３２５Ｃには、ＬＥＤ３２４及び折り返し型基板配線部３３２が回転対称をなすよう配されている。このようにすれば、複数の中央側ＬＥＤ基板３２５Ｃとして同一部品を用いることが可能となるので、中央側ＬＥＤ基板３２５Ｃに係る製造コスト及び部品管理などに係るコストの低減を図ることができる。
【００８８】
＜実施形態５＞
本発明の実施形態５を図１７または図１８によって説明する。この実施形態５では、ＬＥＤ基板４２５の配線構成を変更したものを示す。なお、上記した実施形態１と同様の構造、作用及び効果について重複する説明は省略する。
【００８９】
本実施形態に係るＬＥＤ基板群４３１を構成する３枚のＬＥＤ基板４２５は、図１７及び図１８に示すように、一方の端側ＬＥＤ基板４２５Ｅのみが中央側ＬＥＤ基板４２５Ｃに接続されるのに対し、他方の端側ＬＥＤ基板４２５Ｅが中央側ＬＥＤ基板４２５Ｃには接続されない配線構成とされる。詳しくは、一対の端側ＬＥＤ基板４２５Ｅのうち、図１７及び図１８に示す右側にあって第２駆動部４３８に接続される端側ＬＥＤ基板（第２端側ＬＥＤ基板）４２５Ｅには、中央側ＬＥＤ基板４２５Ｃ側の端部に端側基板接続コネクタ４３５が設けられているのに対し、図１７及び図１８に示す左側にあって第１駆動部４３７に接続される端側ＬＥＤ基板（第１端側ＬＥＤ基板）４２５Ｅには、電源接続コネクタ４３４のみが設けられていて端側基板接続コネクタ４３５が設けられていない。
【００９０】
中央側ＬＥＤ基板４２５Ｃには、図１７及び図１８に示すように、第２駆動部４３８に接続される端側ＬＥＤ基板４２５Ｅ側の端部に中央側基板接続コネクタ４４２が設けられているものの、第１駆動部４３７に接続される端側ＬＥＤ基板４２５Ｅ側の端部には中央側基板接続コネクタ４４２が設けられていない。そして、中央側ＬＥＤ基板４２５Ｃには、両端部が中央側基板接続コネクタ４４２に接続されるのに対して途中部分がＬＥＤ４２４に接続されつつ折り返されてなる折り返し型基板配線部４３２が１つのみ設けられている。折り返し型基板配線部４３２における折り返し部分４３２ｃは、中央側ＬＥＤ基板４２５Ｃにおける中央側基板接続コネクタ４４２側とは反対側（第１駆動部４３７に接続される端側ＬＥＤ基板４２５Ｅ側）の端部に配されている。このような配線構成では、第１駆動部４３７によって図１７及び図１８に示す左側の端側ＬＥＤ基板（第１端側ＬＥＤ基板）４２５Ｅに実装された各ＬＥＤ４２４が駆動されるのに対し、第２駆動部４３８によって図１７及び図１８に示す右側の端側ＬＥＤ基板（第２端側ＬＥＤ基板）４２５Ｅ及び中央側ＬＥＤ基板４２５Ｃに実装された各ＬＥＤ４２４が駆動される。従って、第１駆動部４３７と第２駆動部４３８とで供給する電力量を異ならせるようにすれば、図示しない液晶パネルの表示面を左右で異なる大きさの２画面表示を行うことができる。具体的には、液晶パネルの表示面を左側１／３の大きさの第１表示領域と、右側２／３の大きさの第２表示領域とに分けて、それら大きさが異なる第１表示領域及び第２表示領域に異なる画像を同時に表示することができる。
【００９１】
＜実施形態６＞
本発明の実施形態６を図１９または図２０によって説明する。この実施形態６では、配線挿通孔５３９を変更したものを示す。なお、上記した実施形態１と同様の構造、作用及び効果について重複する説明は省略する。
【００９２】
本実施形態に係るシャーシ５２２における底板５２２ａには、図１９に示すように、第１配線部材５３６Ａ及び第２配線部材５３６Ｂを共に挿通する配線挿通孔５３９が貫通形成されている。配線挿通孔５３９は、底板５２２ａの外縁部において１つのみ形成されており、第１配線部材５３６Ａ及び第２配線部材５３６Ｂを一纏めにして通すことが可能な大きさの、いわば共用タイプとされている。この配線挿通孔５３９は、底板５２２ａにおいて図１９に示す右側の端部に配されている。これに対し、ＬＥＤ駆動回路基板５３０は、図２０に示すように、底板５２２ａにおいて配線挿通孔５３９側に片寄った位置に配されている。なお、第１配線部材５３６Ａは、シャーシ５２２内においては、図１９に示すように、配線挿通孔５３９から端側ＬＥＤ基板５２５Ｅの電源接続コネクタ５３４に達するまで底板５２２ａをその長辺方向（Ｘ軸方向）に沿ってほぼ全長にわたって横切るものとされる。
【００９３】
＜実施形態７＞
本発明の実施形態７を図２１によって説明する。この実施形態７では、ＬＥＤ基板群６３１を構成するＬＥＤ基板６２５の枚数を変更したものを示す。なお、上記した実施形態１と同様の構造、作用及び効果について重複する説明は省略する。
【００９４】
本実施形態に係るＬＥＤ基板群６３１は、図２１に示すように、Ｘ軸方向に沿って並列された５枚のＬＥＤ基板６２５により構成されている。詳しくは、ＬＥＤ基板群６３１を構成する５枚のＬＥＤ基板６２５は、中央側に配される１枚の中央側ＬＥＤ基板６２５Ｃと、その中央側ＬＥＤ基板６２５Ｃの両側に２枚ずつ配される合計４枚の端側ＬＥＤ基板６２５Ｅとからなる。最もシャーシにおける端側に配される一対の端側ＬＥＤ基板６２５Ｅには、シャーシにおける端側の端部に電源接続コネクタ６３４が、中央側の端部に端側基板接続コネクタ６３５がそれぞれ設けられている。これら電源接続コネクタ６３４及び端側基板接続コネクタ６３５は、同一部品とされる。一方、中央側ＬＥＤ基板６２５Ｃに隣り合う形で配される（中央寄りに配される）一対の端側ＬＥＤ基板６２５Ｅには、その両端部に端側基板接続コネクタ６３５が一対設けられており、シャーシにおける端寄りに位置する端側基板接続コネクタ６３５が、最も端側の端側ＬＥＤ基板６２５Ｅの端側基板接続コネクタ６３５に接続されるのに対し、シャーシにおける中央寄りに位置する端側基板接続コネクタ６３５が、中央側ＬＥＤ基板６２５Ｃの中央側基板接続コネクタ６４２に接続される。そして、各端側ＬＥＤ基板６２５Ｅは、各ＬＥＤ６２４、基板配線部６３３、電源接続コネクタ６３４、及び端側基板コネクタ６３５がそれぞれ点対称状に配されている。従って、４枚の端側ＬＥＤ基板６２５Ｅは、全てが同一部品（共通部品）となっている。
【００９５】
＜実施形態８＞
本発明の実施形態８を図２２または図２３によって説明する。この実施形態８では、ＬＥＤ基板７２５におけるＬＥＤ７２４及び基板配線部７３２，７３３の配置構成を変更したものを示す。なお、上記した実施形態１と同様の構造、作用及び効果について重複する説明は省略する。
【００９６】
本実施形態に係るＬＥＤ基板７２５には、図２２に示すように、ＬＥＤ７２４（拡散レンズ７２７）が行列状に並列して配されている。詳しくは、ＬＥＤ７２４（拡散レンズ７２７）は、ＬＥＤ基板７２５の長さ方向（長辺方向、Ｘ軸方向）に沿って複数が並んで配されるとともに、ＬＥＤ基板７２５の幅方向（短辺方向、Ｙ軸方向）に沿って２つずつ並んで配されている。従って、各端側ＬＥＤ基板７２５Ｅは、合計１２個のＬＥＤ７２４を有する１２個実装タイプの行列型ＬＥＤ基板７２５とされるのに対し、中央側ＬＥＤ基板７２５Ｃは、合計８個のＬＥＤ７２４を有する８個実装タイプの行列型ＬＥＤ基板７２５とされる。端側ＬＥＤ基板７２５Ｅに設けられた基板配線部７３３は、図２３に示すように、一対の直線状部分７３３ａ，７３３ｂが、Ｘ軸方向に沿って並列するＬＥＤ７２４の各行に対応した配置とされるとともに、各行をなすＬＥＤ７２４に対してそれぞれ接続されていて、いずれも接続配線部とされている。中央側ＬＥＤ基板７２５Ｃに設けられた各折り返し型基板配線部７３２は、折り返し部７３２ｃに連なる一対の直線状部分７３２ａ，７３２ｂが、Ｘ軸方向に沿って並列するＬＥＤ７２４の各行に対応した配置とされるとともに、各行をなすＬＥＤ７２４に対してそれぞれ接続されていて、いずれも接続配線部とされている。
【００９７】
＜実施形態９＞
本発明の実施形態９を図２４または図２５によって説明する。この実施形態９では、上記した実施形態８からＬＥＤ基板８２５におけるＬＥＤ８２４及び基板配線部８３２，８３３の配置構成をさらに変更したものを示す。なお、上記した実施形態１と同様の構造、作用及び効果について重複する説明は省略する。
【００９８】
本実施形態に係るＬＥＤ基板８２５には、図２４に示すように、ＬＥＤ８２４（拡散レンズ８２７）がＸ軸方向に沿って並列するものを１つの行としたとき、３つの行がＹ軸方向に沿って並んで配されることで、行列状に配置されている。従って、各端側ＬＥＤ基板８２５Ｅは、合計１８個のＬＥＤ８２４を有する１８個実装タイプの行列型ＬＥＤ基板８２５とされるのに対し、中央側ＬＥＤ基板８２５Ｃは、合計１２個のＬＥＤ８２４を有する１２個実装タイプの行列型ＬＥＤ基板８２５とされる。
【００９９】
端側ＬＥＤ基板８２５Ｅに設けられた基板配線部８３３は、図２５に示すように、Ｘ軸方向に沿って延在する４本の直線状部分８３３ａ１，８３３ａ２，８３３ａ３，８３３ｂを有しており、このうち３本の直線状部分８３３ａ１，８３３ａ２，８３３ａ３がＸ軸方向に沿って並列するＬＥＤ８２４の各行に対応した配置とされるとともに、各行をなすＬＥＤ８２４に対してそれぞれ接続される接続配線部とされているのに対し、残りの１本の直線状部分８３３ｂがスルー配線部とされる。３本の直線状部分８３３ａ１，８３３ａ２，８３３ａ３のうち、Ｙ軸方向について中央寄りの２本の直線状部分８３３ａ２，８３３ａ３は、端側基板接続コネクタ８３５側とは反対側の端部同士が折り返し部分８３３ｃによって接続されている。
【０１００】
中央側ＬＥＤ基板８２５Ｃに設けられた各折り返し型基板配線部８３２は、図２５に示すように、Ｘ軸方向に沿って延在する４本の直線状部分８３２ａ１，８３２ａ２，８３２ａ３，８３２ｂを有しており、このうち３本の直線状部分８３２ａ１，８３２ａ２，８３２ａ３がＸ軸方向に沿って並列するＬＥＤ８２４の各行に対応した配置とされるとともに、各行をなすＬＥＤ８２４に対してそれぞれ接続される接続配線部とされているのに対し、残りの１本の直線状部分８３２ｂがスルー配線部とされる。スルー配線部となる直線状部分８３２ｂと、それに隣り合う直線状部分８３２ａ３とは、中央側基板接続コネクタ８４２側とは反対側の端部同士が折り返し部分８３２ｃ１により接続されており、残りの２本の直線状部分８３２ａ１，８３２ａ２同士も、同様にして折り返し部分８３２ｃ２により端部同士が接続されている。そして、端側ＬＥＤ基板８２５Ｅの端側基板接続コネクタ８３５と、中央側ＬＥＤ基板８２５Ｃの中央側基板接続コネクタ８４２とを接続することで、各行をなすＬＥＤ８２４の配置に対応付けられた直線状部分８３２ａ１，８３２ａ２，８３２ａ３，８３２ｂ，８３３ａ１，８３３ａ２，８３３ａ３，８３３ｂ同士が相互に接続されるとともに、ＬＥＤ駆動回路基板８３０の各駆動部８３７，８３８からの駆動電力により各行をなすＬＥＤ８２４が点灯される。
【０１０１】
＜実施形態１０＞
本発明の実施形態１０を図２６から図２８によって説明する。この実施形態１０では、バックライト装置９１２をエッジライト型に変更した場合を示す。なお、上記した実施形態１と同様の構造、作用及び効果について重複する説明は省略する。
【０１０２】
本実施形態に係る液晶表示装置９１０は、図２６に示すように、液晶パネル９１１と、エッジライト型のバックライト装置９１２とをベゼル９１３などにより一体化した構成とされる。なお、液晶パネル９１１の構成は、上記した実施形態１と同様であるから、重複する説明は省略する。以下、エッジライト型のバックライト装置９１２の構成について説明する。
【０１０３】
バックライト装置９１２は、図２６に示すように、表側側（液晶パネル９１１側）に向けて開口する光出射部９２２ｄを有した略箱型をなすシャーシ９２２と、シャーシ９２２の光出射部９２２ｄを覆う形で配される複数の光学部材９２３とを備える。さらに、シャーシ９２２内には、光源であるＬＥＤ９２４（Light Emitting Diode：発光ダイオード）と、ＬＥＤ９２４が実装されたＬＥＤ基板９２５と、ＬＥＤ９２４からの光を導光して光学部材９２３（液晶パネル９１１）へと導く導光板４３と、導光板４３を表側から押さえるフレーム９２６とが備えられる。そして、このバックライト装置９１２は、その長辺側の両端部にＬＥＤ９２４を有するＬＥＤ基板９２５をそれぞれ備えるとともに、両ＬＥＤ基板９２５間に挟まれた中央側に導光板４３を配置してなる、いわゆるエッジライト型（サイドライト型）とされている。このように本実施形態に係るバックライト装置９１２は、エッジライト型であるから、実施形態１にて示した直下型のバックライト装置１２で用いていた拡散レンズ２７、基板保持部材２８、反射シート２９などが備えられていない。続いて、バックライト装置９１２の各構成部品について詳しく説明する。
【０１０４】
シャーシ９２２は、金属製とされ、図２７及び図２８に示すように、液晶パネル９１１と同様に横長の方形状をなす底板９２２ａと、底板９２２ａの各辺の外端からそれぞれ立ち上がる側板９２２ｂとからなり、全体としては表側に向けて開口した浅い略箱型をなしている。シャーシ９２２（底板９２２ａ）は、その長辺方向がＸ軸方向（水平方向）と一致し、短辺方向がＹ軸方向（鉛直方向）と一致している。また、側板９２２ｂには、フレーム９２６及びベゼル９１３がねじ止め可能とされる。なお、光学部材９２３は、図２６に示すように、光学シート９２３ｂが３枚備えられている点を除いては、上記した実施形態１と同様であるから、重複する説明は省略する。
【０１０５】
フレーム９２６は、図２６に示すように、導光板４３の外周端部に沿って延在する枠状（額縁状）に形成されており、導光板４３の外周端部をほぼ全周にわたって表側から押さえることが可能とされる。このフレーム９２６は、合成樹脂製とされるとともに、表面が例えば黒色を呈する形態とされることで、遮光性を有するものとされる。フレーム９２６のうち両長辺部分における裏側の面、つまり導光板４３及びＬＥＤ基板９２５（ＬＥＤ９２４）との対向面には、図２８に示すように、光を反射させる第１反射シート４４がそれぞれ取り付けられている。第１反射シート４４は、フレーム９２６の長辺部分におけるほぼ全長にわたって延在する大きさを有しており、導光板４３におけるＬＥＤ９２４側の端部に直接当接されるとともに導光板４３の上記端部とＬＥＤ基板９２５とを一括して表側から覆うものとされる。また、フレーム９２６は、液晶パネル９１１における外周端部を裏側から受けることができる。
【０１０６】
ＬＥＤ９２４は、上記した実施形態１と同様の構成であるから、重複する説明は省略する。ＬＥＤ基板９２５は、図２６に示すように、シャーシ９２２の長辺方向（Ｘ軸方向、導光板４３における光入射面４３ｂの長手方向）に沿って延在する細長い板状をなすとともに、その主板面をＸ軸方向及びＺ軸方向に並行した姿勢、つまり液晶パネル９１１及び導光板４３（光学部材９２３）の板面と直交させた姿勢でシャーシ９２２内に収容されている。ＬＥＤ基板９２５は、導光板４３をその短辺方向（Ｙ軸方向）の両側方から挟み込む形で対をなすものが、導光板４３の長辺方向（Ｘ軸方向）について３組並んで配され、合計６枚設置されている。ＬＥＤ基板９２５の主板面であって内側、つまり導光板４３側を向いた面（導光板４３との対向面）には、上記した構成のＬＥＤ９２４が実装されている。ＬＥＤ９２４は、ＬＥＤ基板９２５の実装面において、その長さ方向（Ｘ軸方向）に沿って複数が一列に（直線的に）並列配置されている。従って、ＬＥＤ９２４は、バックライト装置９１２における長辺側の両端部においてそれぞれ長辺方向に沿って複数ずつ並列配置されていると言える。各ＬＥＤ基板９２５に実装された複数のＬＥＤ９２４は、基板配線部（図示せず）によって直列接続されている。各ＬＥＤ基板９２５は、ＬＥＤ９２４の実装面が互いに対向状をなす姿勢でシャーシ９２２内に収容されているので、両ＬＥＤ基板９２５にそれぞれ実装された各ＬＥＤ９２４の発光面が対向状をなすとともに、各ＬＥＤ９２４における光軸がＹ軸方向とほぼ一致する。Ｘ軸方向に沿って並列した３枚のＬＥＤ基板９２５には、シャーシ９２２及び導光板４３の両端に配された一対の端側ＬＥＤ基板９２５Ｅと、中央側に配された中央側ＬＥＤ基板９２５Ｃとが含まれており、これら隣り合うもの同士が各コネクタ９３５，９４２によって相互に接続されている。なお、各ＬＥＤ基板９２５の配線構成は、上記した実施形態１に記載したもの（図１２を参照）と同様であるから、重複する説明は割愛する。
【０１０７】
導光板４３は、屈折率が空気よりも十分に高く且つほぼ透明な（透光性に優れた）合成樹脂材料（例えばアクリルなど）からなる。導光板４３は、図２６に示すように、液晶パネル９１１及びシャーシ９２２と同様に平面に視て横長の方形状をなしており、その長辺方向がＸ軸方向と、短辺方向がＹ軸方向とそれぞれ一致している。導光板４３は、シャーシ９２２内において液晶パネル９１１及び光学部材９２３の直下位置に配されており、シャーシ９２２における長辺側の両端部に配された一対のＬＥＤ基板９２５間にＹ軸方向について挟み込まれる形で配されている。従って、ＬＥＤ９２４（ＬＥＤ基板９２５）と導光板４３との並び方向がＹ軸方向と一致するのに対して、光学部材９２３（液晶パネル９１１）と導光板４３との並び方向がＺ軸方向と一致しており、両並び方向が互いに直交するものとされる。そして、導光板４３は、ＬＥＤ９２４からＹ軸方向に向けて発せられた光を導入するとともに、その光を内部で伝播させつつ光学部材９２３側（Ｚ軸方向）へ向くよう立ち上げて出射させる機能を有する。
【０１０８】
導光板４３の主面のうち、表側を向いた面が、図２８に示すように、内部の光を光学部材９２３及び液晶パネル９１１に向けて出射させる光出射面４３ａとなっている。導光板４３における主面に対して隣り合う外周端面のうち、Ｘ軸方向に沿って長手状をなす長辺側の両端面は、それぞれＬＥＤ９２４（ＬＥＤ基板９２５）と所定の間隔を空けて対向状をなしており、これらがＬＥＤ９２４から発せられた光が入射される光入射面４３ｂとなっている。光入射面４３ｂは、Ｘ軸方向及びＺ軸方向に沿って並行する面とされ、光出射面４３ａに対して略直交する面とされる。導光板４３における光出射面４３ａとは反対側の面４３ｃには、導光板４３内の光を反射して表側へ立ち上げることが可能な第２反射シート４５がその全域を覆う形で設けられている。第２反射シート４５は、平面に視てＬＥＤ基板９２５（ＬＥＤ９２４）と重畳する範囲にまで拡張されるとともに、表側の第１反射シート４４との間でＬＥＤ基板９２５（ＬＥＤ９２４）を挟み込む形で配されている。これにより、ＬＥＤ９２４からの光を両反射シート４４，４５間で繰り返し反射することで、光入射面４３ｂに対して効率的に入射させることができる。なお、導光板４３における光出射面４３ａまたはその反対側の面４３ｃの少なくともいずれか一方には、内部の光を反射させる反射部（図示せず）または内部の光を散乱させる散乱部（図示せず）が所定の面内分布を持つようパターニングされており、それにより光出射面４３ａからの出射光が面内において均一な分布となるよう制御されている。
【０１０９】
＜他の実施形態＞
本発明は上記記述及び図面によって説明した実施形態に限定されるものではなく、例えば次のような実施形態も本発明の技術的範囲に含まれる。
（１）上記した各実施形態（実施形態５を除く）では、中央側ＬＥＤ基板において、第１折り返し型基板配線部に接続されたＬＥＤと、第２折り返し型基板配線部に接続されたＬＥＤとの境界位置が、中央側ＬＥＤ基板の中央位置とほぼ一致する構成とされたものを示したが、上記境界位置が中央側ＬＥＤ基板の中央位置から左右いずれかにずれた配置としたものも本発明に含まれる。
【０１１０】
（２）上記した各実施形態（実施形態５を除く）では、中央側ＬＥＤ基板において、第１折り返し型基板配線部に接続されたＬＥＤの数と、第２折り返し型基板配線部に接続されたＬＥＤの数とが同数とされたものを示したが、上記ＬＥＤの数を互いに異ならせたものも本発明に含まれる。特に、中央側ＬＥＤ基板に実装するＬＥＤの数を奇数にした場合に好適である。
【０１１１】
（３）上記した各実施形態では、１つのＬＥＤ基板群を構成するＬＥＤ基板の枚数が３枚、４枚または５枚とされた場合を例示したが、６枚以上のＬＥＤ基板によって１つのＬＥＤ基板群を構成するようにしても勿論構わない。このとき、ＬＥＤ基板群を構成するＬＥＤ基板の枚数が奇数の場合には、上記した実施形態７に記載した技術を適用して、１枚の中央側ＬＥＤ基板の両側に端側ＬＥＤ基板を複数枚ずつ配置すればよい。一方、ＬＥＤ基板群を構成するＬＥＤ基板の枚数が偶数の場合には、上記した実施形態４に記載した技術を適用して、中央側ＬＥＤ基板を２枚とし、それら中央側ＬＥＤ基板の両側に端側ＬＥＤ基板を複数枚ずつ配置すればよい。
【０１１２】
（４）上記した各実施形態では、ＬＥＤ基板として４個実装タイプ、５個実装タイプ、６個実装タイプ及び８個実装タイプのものを適宜に組み合わせて用いる旨を説明したが、４個，５個，６個，８個以外の数のＬＥＤを実装したＬＥＤ基板を用いるようにしたものも本発明に含まれる。
【０１１３】
（５）上記した各実施形態では、１つのＬＥＤ基板群を構成する複数のＬＥＤ基板がシャーシ内において直線的に一列に並んで配されるものを示したが、１つのＬＥＤ基板群を構成する複数のＬＥＤ基板がジグザグ状（千鳥状）に並んで配される構成としたものも本発明に含まれる。その場合は、隣り合うＬＥＤ基板の配置に応じて各基板接続コネクタの形状などを適宜に変更すればよい。
【０１１４】
（６）上記した各実施形態では、ＬＥＤ基板の各端部にコネクタ（電源接続コネクタ、端側基板接続コネクタまたは中央側基板接続コネクタ）を１つずつ配置したものを示したが、ＬＥＤ基板の各端部にコネクタを２つずつ配置することも可能である。ＬＥＤ基板の各端部に配置した２つのコネクタには、基板配線部（基板配線部または折り返し型基板配線部）のアノード側端子部を有するものと、カソード側端子部を有するものとが含まれる。
【０１１５】
（７）上記した実施形態２，３に記載した各ＬＥＤ基板の配線構成は、実施形態４〜１０に記載したものにも適用可能である。
【０１１６】
（８）上記した実施形態４，５に記載した各ＬＥＤ基板の配線構成は、実施形態６〜１０に記載したものにも適用可能である。
【０１１７】
（９）上記した実施形態７に記載した各ＬＥＤ基板の配線構成は、実施形態８〜１０に記載したものにも適用可能である。
【０１１８】
（１０）上記した実施形態８，９に記載したＬＥＤ基板におけるＬＥＤの配置構成は、実施形態１０に記載したものも適用可能である。
【０１１９】
（１１）上記した各実施形態以外にも、シャーシ内に収容するＬＥＤ基板群の数は適宜に変更可能である。
【０１２０】
（１２）上記した実施形態１〜９では、ＬＥＤの光出射側に拡散レンズを配したものを示したが、このような拡散レンズを省略した直下型のバックライト装置にも本発明は適用可能である。
【０１２１】
（１３）上記した実施形態１０では、ＬＥＤ基板（ＬＥＤ）が導光板における両長辺側の端部に一対配されるものを示したが、例えばＬＥＤ基板（ＬＥＤ）が導光板における両短辺側の端部に一対配されるものも本発明に含まれる。
【０１２２】
（１４）上記した（１３）以外にも、ＬＥＤ基板（ＬＥＤ）を導光板における両長辺及び両短辺の各端部に対して一対ずつ配したものや、逆にＬＥＤ基板（ＬＥＤ）を導光板における一方の長辺または一方の短辺の端部に対してのみ１つ配したものも本発明に含まれる。
【０１２３】
（１５）上記した各実施形態以外にも、ＬＥＤの具体的な構成（例えばＬＥＤチップの主発光波長、使用する蛍光体が発する光の波長範囲、使用する蛍光体の材料名など）は適宜に変更可能である。
【０１２４】
（１６）上記した各実施形態では、ＬＥＤに用いる蛍光体として、１つの色に係る光を発光する蛍光体を１種類のみ使用した場合を例示したが、同色の光を発光する蛍光体を２種類以上使用することも可能である。
【０１２５】
（１７）上記した各実施形態では、カラーフィルタの着色部として、光の三原色である赤色、緑色、青色に黄色を加えたものを示したが、黄色に代えてシアン色の着色部を加えるようにしてもよい。また、シアン色の着色部以外にも、透過光を着色することがない透明部を設けるようにしても構わない。
【０１２６】
（１８）上記した各実施形態以外にも、カラーフィルタを構成する４色の着色部の行方向についての配列順序は、適宜に変更可能である。また、４色の着色部を行方向に沿って並列する配置に限らず、４色の着色部を行列状に並ぶ構成とすることも可能である。
【０１２７】
（１９）上記した各実施形態では、カラーフィルタを構成する４色の着色部の面積比率が異なる構成のものを例示したが、４色の着色部の面積比率を等しくする構成とすることも可能である。
【０１２８】
（２０）上記した各実施形態では、カラーフィルタの着色部を４色とした場合を示したが、赤色、緑色、青色の３色の着色部からなるカラーフィルタを備えたものにも本発明は適用可能である。
【０１２９】
（２１）上記した各実施形態では、光源として白色発光するＬＥＤを用いたものを示したが、例えば、赤色光、緑色光、青色光をそれぞれ単色発光する３種類のＬＥＤを用いることも可能である。
【０１３０】
（２２）上記した各実施形態では、光源としてＬＥＤを用いたものを示したが、有機ＥＬなどの他の光源を用いることも可能である。
【０１３１】
（２３）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１３２】
（２４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１３３】
（２５）上記した各実施形態では、表示パネルとして液晶パネルを用いた液晶表示装置を例示したが、他の種類の表示パネルを用いた表示装置にも本発明は適用可能である。
【０１３４】
（２６）上記した各実施形態では、チューナーを備えたテレビ受信装置を例示したが、チューナーを備えない表示装置にも本発明は適用可能である。
【符号の説明】
【０１３５】
１０，９１０…液晶表示装置（表示装置）、１１，９１１…液晶パネル（表示パネル）、１２，９１２…バックライト装置（照明装置）、２２，３２２，５２２，９２２…シャーシ、２２ａ，５２２ａ，９２２ａ…底板、２２ｄ，９２２ｄ…光出射部、２４，１２４，２２４，３２４，６２４，７２４，８２４，９２４…ＬＥＤ（光源）、２５Ｃ，１２５Ｃ，２２５Ｃ，３２５Ｃ，４２５Ｃ，６２５Ｃ，７２５Ｃ，８２５Ｃ，９２５Ｃ…中央側ＬＥＤ基板（中央側光源基板）、２５Ｅ，１２５Ｅ，２２５Ｅ，３２５Ｅ，４２５Ｅ，５２５Ｅ，６２５Ｅ，７２５Ｅ，８２５Ｅ，９２５Ｅ…端側ＬＥＤ基板（端側光源基板）、３０，５３０，８３０…ＬＥＤ駆動回路基板（電源）、３１，３３１，４３１，６３１…ＬＥＤ基板群（光源基板群）、３２，４３２，７３２，８３２…折り返し型基板配線部、３２Ａ，１３２Ａ，２３２Ａ…第１折り返し型基板配線部、３２Ｂ，１３２Ｂ，２３２Ｂ…第２折り返し型基板配線部、３３，１３３，２３３，６３３，７３３，８３３…基板配線部、３４，１３４，２３４，４３４，６３４…電源接続コネクタ（電源接続部）、３５，１３５，２３５，３３５，４３５，６３５，８３５…端側基板接続コネクタ（基板接続部）、４２，３４２，４４２，６４２，８４２…中央側基板接続コネクタ（基板接続部）、４２Ａ，２４２Ａ，３４２Ａ…第１中央側基板接続コネクタ（第１基板接続部）、４２Ｂ，１４２Ｂ，２４２Ｂ，３４２Ｂ…第２中央側基板接続コネクタ（第２基板接続部）、ＴＶ…テレビ受信装置
【図１】
2013143275.tif 000003
【図２】
2013143275.tif 000004
【図３】
2013143275.tif 000005
【図４】
2013143275.tif 000006
【図５】
2013143275.tif 000007
【図６】
2013143275.tif 000008
【図７】
2013143275.tif 000009
【図８】
2013143275.tif 000010
【図９】
2013143275.tif 000011
【図１０】
2013143275.tif 000012
【図１１】
2013143275.tif 000013
【図１２】
2013143275.tif 000014
【図１３】
2013143275.tif 000015
【図１４】
2013143275.tif 000016
【図１５】
2013143275.tif 000017
【図１６】
2013143275.tif 000018
【図１７】
2013143275.tif 000019
【図１８】
2013143275.tif 000020
【図１９】
2013143275.tif 000021
【図２０】
2013143275.tif 000022
【図２１】
2013143275.tif 000023
【図２２】
2013143275.tif 000024
【図２３】
2013143275.tif 000025
【図２４】
2013143275.tif 000026
【図２５】
2013143275.tif 000027
【図２６】
2013143275.tif 000028
【図２７】
2013143275.tif 000029
【図２８】
2013143275.tif 000030